(57)【要約】【課題】  有価媒体を有価媒体投入装置から効率よく回収し保管する有価媒体取込管理設備を提供する。【解決手段】  島端末５を特定するためにその島端末５毎にアドレスを設定するための保留中継基板１４と、アドレスで特定された島端末５から紙幣搬送ユニット１６を介して紙幣を回収・搬送するために必要な搬送情報を取得し、その取得した搬送情報に基づいて、複数の島端末５のうちどの島端末５から紙幣の回収を優先するかの優先度合いを判断し、その判断結果により紙幣搬送ユニット１６を制御する島管理制御部８０と、アドレスで特定された島端末５から紙幣を管理するために必要な有価媒体管理データを取得し、その取得した有価媒体管理データを外部に出力する外部出力制御、または、その取得した有価媒体管理データを蛍光表示パネル８２に視認可能に表示させる表示制御のうち少なくとも何れか一方を実行するようにする。【選択図】  図１
2006305159.tif 000002
【特許請求の範囲】
【請求項１】
遊技場における遊技機島内の有価媒体取込管理設備であって、
列設された遊技機毎に付設された有価媒体投入装置とその有価媒体投入装置に投入された有価媒体を一時的に保留しておく有価媒体保留手段とから成る島端末と、
前記遊技機島の一端側に有価媒体を保管するために設けられた有価媒体収納庫と、
前記有価媒体保留手段から有価媒体を回収し、前記有価媒体収納庫へ搬送する有価媒体搬送手段と、
前記島端末を特定するためにその島端末毎に識別データを設定するための識別データ設定手段と、
前記識別データで特定された前記島端末から前記有価媒体搬送手段を介して前記有価媒体を回収・搬送するために必要な搬送情報を取得し、その取得した搬送情報に基づいて、前記有価媒体搬送手段を制御する有価媒体搬送制御手段と、
前記識別データで特定された前記島端末から前記有価媒体を管理するために必要な有価媒体管理データを取得し、その取得した有価媒体管理データを表示手段に視認可能に表示させる表示制御を実行する有価媒体管理制御手段と、
を備えたことを特徴とする遊技機島内の有価媒体取込管理設備。
【発明の詳細な説明】
【技術分野】
【０００１】
本発明は、遊技場における遊技機島内の有価媒体取込管理設備に関する。
【背景技術】
【０００２】
従来、遊技場における遊技機には、遊技媒体であるメダルやパチンコ玉を遊技客に貸し出すための遊技媒体貸出装置と、遊技媒体貸出装置から遊技媒体を借り出すために遊技客が支払う有価媒体である紙幣等を投入するための有価媒体投入装置が付設されている。
【０００３】
一般に、遊技場においては複数の遊技機が列設されて、所謂、遊技機島が形成されており、遊技機島毎に、各遊技機に付設されている有価媒体投入装置から紙幣が回収されるようになっている。
【０００４】
そして、各遊技機における遊技客の遊技を妨げることなく有価媒体投入装置に投入された紙幣を円滑に回収するために、各有価媒体投入装置に投入された紙幣を一時保留する一時保留部と、そこに一時保留された紙幣を回収して一箇所に保管する手段と、を備えた紙幣回収手段が提案されている（例えば、特許文献１参照。）。
【０００５】
特許文献１に記載された紙幣回収手段は、複数枚の紙幣を各有価媒体投入装置に付設された一時保留部に保留しておき、紙幣を回収する回収ユニットがベルトコンベア上を移動して順次一時保留部から紙幣を回収し、遊技機島の端部に設けられた金庫に保管するようになっている。
【特許文献１】特開２００２−２０３２６６号  公報
【発明の開示】
【発明が解決しようとする課題】
【０００６】
上記紙幣回収手段では、有価媒体投入装置に投入された紙幣を、回収ユニットで遊技島端に設けられた金庫に保管するため、従業員が各遊技機に付設された各有価媒体投入装置から紙幣を回収する必要がなくなり、保安上の問題（紙幣をできるだけ従業員や遊技者の目に触れさせない）を防止したり、サービス上の問題（遊技中に遊技を中断して紙幣を回収する）をなくすことができるようになっている。
【０００７】
しかし、上記機能に加え、遊技機島毎に各有価媒体投入装置の状態（紙幣満状態や紙詰り等の不具合発生等）が把握できるようになっていると、その有価媒体投入装置の状態に合わせて効率的に紙幣の回収ができる。例えば、紙幣満状態になっている有価媒体投入装置から紙幣を回収したり、不具合が発生している有価媒体投入装置からは紙幣を回収しない等の効率的な紙幣の回収ができる。
【０００８】
また、各有価媒体投入装置の状態として投入紙幣枚数を把握すれば、遊技場の管理（特に売上げ管理）を迅速に行うことができるようになる。
ところが、上記紙幣回収手段では、単に有価媒体を機械的に一時保留部から順次回収し、金庫に保管するだけであるため、有価媒体投入装置からの情報（紙幣投入枚数や紙幣詰り情報等）に基づいて紙幣回収を効率的に行うことができなかった。また、有価媒体各有価媒体投入装置での紙幣投入枚数を把握し、売上げ管理を行うこともできなかった。
【０００９】
本発明は、かかる事情に鑑みなされたものであり、有価媒体を有価媒体投入装置から効率よく回収し保管する有価媒体取込管理設備を提供することを目的とする。
【課題を解決するための手段】
【００１０】
かかる目的を達成するためになされた請求項１に記載の発明は、遊技場における遊技機島（２：この欄においては、発明に対する理解を容易にするため、必要に応じて「発明を実施するための最良の形態」欄において用いた符号を付すが、この符号によって請求の範囲を限定することを意味するものではない。）内の有価媒体取込管理設備であって、列設された遊技機（８）毎に付設された有価媒体投入装置（２２）とその有価媒体投入装置（２２）に投入された有価媒体を一時的に保留しておく有価媒体保留手段（１２）とから成る島端末（５）と、遊技機島（２）の一端側に有価媒体を保管するために設けられた有価媒体収納庫（９０）と、有価媒体保留手段（１２）から有価媒体を回収し、有価媒体収納庫（９０）へ搬送する有価媒体搬送手段（１６）と、島端末（５）を特定するためにその島端末（５）毎に識別データを設定するための識別データ設定手段（１４）と、識別データで特定された島端末（５）から有価媒体搬送手段（１６）を介して有価媒体を回収・搬送するために必要な搬送情報を取得し、その取得した搬送情報に基づいて、有価媒体搬送手段（１６）を制御する有価媒体搬送制御手段（８０）と、識別データで特定された島端末（５）から有価媒体を管理するために必要な有価媒体管理データを取得し、その取得した有価媒体管理データを表示手段（８２）に視認可能に表示させる表示制御を実行する有価媒体管理制御手段（８０）と、を備えたことを特徴とする。
【００１１】
このような構成の有価媒体取込管理設備によると、有価媒体搬送制御手段（８０）は、識別データによって特定された島端末（５）から搬送情報を取得し、その搬送情報に基づいて有価媒体搬送手段（１６）を制御し、有価媒体を回収・搬送し有価媒体収納庫（９０）へ収納するため、有価媒体の効率的な回収と収納ができる。
【００１２】
例えば、島端末（５）から有価媒体投入装置（２２）の不具合発生状況（例えば、詰りや、偽有価媒体）や有価媒体の投入状況（満状態）、あるいは、有価媒体搬送手段（１６）の搬送状況（有価媒体投入装置（２２）との相対位置情報等）を搬送情報として出力するようにしておく。そして、有価媒体搬送制御手段（８０）は、それらの搬送情報に基づいて、不具合のある有価媒体投入装置（２２）からの有価媒体の回収を止めたり、満状態の有価媒体投入装置（２２）の有価媒体を回収するというようにして有価媒体搬送手段（１６）を制御する。そのような制御を行うことにより、回収すべき有価媒体投入装置（２２）から効率よく有価媒体を回収することができる。
【００１３】
また、有価媒体管理制御手段（８０）は、有価媒体の管理に必要となる管理データ（例えば、有価媒体の枚数等）を、各島端端末（５）から取得し、その取得した管理データを表示手段（８２）に視認可能に表示させる表示制御を実行する。従って、遊技場側は、各遊技機島（２）毎に表示に基づいて売上げ管理をすることが可能になる。
【発明を実施するための最良の形態】
【００１４】
（第１実施形態）
<有価媒体取込管理設備の全体構成>
以下に本発明の実施形態を図面とともに説明する。
【００１５】
図１は、本実施形態の有価媒体管理設備が適用された遊技機島の平面図である。尚遊技場には複数の遊技機島が設置されているが、図１ではそのうちの１つの遊技機島の平面図を示している。
【００１６】
遊技場における遊技機島２は、列設された複数の島端末５と、島端末５の一端側に設けられた島管理装置４と、各島端末５の列間に設置された紙幣搬送ユニット１６とを備える。
【００１７】
図１に示すように、遊技機島２には複数の島端末５が前面側（例えば、図１の紙面下方向）と背面側（例えば、図１の紙面上方向）の２列に亘って島管理装置４から延出している。前面側の島端末５と後面側の島端末５との間には、列設されている島端末５に沿って紙幣搬送経路１８が設けられている。そして、紙幣搬送ユニット１６がその紙幣搬送経路１８上を図１中左右方向に、換言すれば島管理装置４とその反対側の端部との方向に移動する。
【００１８】
島端末５は、各島端末５毎に遊技機８、遊技媒体貸出装置１０、紙幣保留ユニット１２、保留中継基板１４を各１台ずつ備える。なお、本実施形態における遊技機８は、所謂パチンコ台、スロットであり、遊技媒体貸出装置１０としてはパチンコ玉貸し機、メダル貸し機である。また、遊技媒体貸出装置１０の一部には、紙幣投入装置２２が設けられている。
【００１９】
これらのパチンコ玉貸し機、メダル貸し機に使われる有価媒体としては、紙幣、硬貨、ＩＣタグ及び各種カードなどが一般的であり、有価媒体投入装置としては紙幣投入装置、硬貨投入装置、ＩＣタグ投入装置などがあるが、本実施形態では紙幣を有価媒体として以下の説明を進める。従って、以下の説明における有価媒体投入装置としては、特に断らない限り紙幣投入装置２２を意味する。
【００２０】
なお、図１に示す遊技場管理装置６は、遊技場内の複数の遊技機島２を一括して管理する遊技場全体の管理装置であり、ホールコンピュータとも称される。
以下、有価媒体取込管理設備の主要構成要素である紙幣投入装置２２、保留中継基板１４、紙幣保留ユニット１２、紙幣搬送ユニット１６及び島管理装置４について説明する。
<紙幣投入装置>
図２は、紙幣投入装置２２、紙幣保留ユニット１２、紙幣搬送ユニット１６の側面図である。
【００２１】
紙幣投入装置２２は、遊技客が遊技媒体貸出装置１０から遊技媒体を借り出すために紙幣を投入する装置であり、遊技機島２の前面と背面の両面に設置された各島端末５に設けられている。
【００２２】
紙幣投入装置２２は、図２に示すように、紙幣を投入する紙幣投入ユニット２４、紙幣投入ユニット２４に投入された紙幣を紙幣保留ユニット１２に導くための紙幣投入ノズル２６及び紙幣投入ユニット２４を遊技機島２に結合させるための紙幣投入ユニットガイド部２８から構成されている。
【００２３】
紙幣投入ユニット２４は、紙幣を受け入れる受入口であり、本実施形態の場合、長方形の紙幣は縦にされた状態でその短辺が紙幣投入ユニット２４の一端（図２の右側端部）から紙幣投入ノズル２６に向けて図２の左側方向へ挿入される。
【００２４】
紙幣投入ノズル２６は、紙幣を紙幣投入ユニット２４から紙幣保留ユニット１２へ中継する筒状のガイドであり、遊技機島２における紙幣投入装置２２と紙幣保留ユニット１２との接合箇所における紙幣の通過を円滑なものとする。紙幣投入ノズル２６は、紙幣投入装置２２と紙幣保留ユニット１２とに対して係脱可能に形成され、遊技媒体貸出装置１０などが設置される遊技機島２に対して脱着可能に装着される。
【００２５】
紙幣は、上記のように、図２に示す紙幣投入ユニット２４の端部（図２の右側方向）から上下方向に立てられた状態で投入される。投入された紙幣は、図示しない紙幣識別装置（ビルバリ）によって異常紙幣であるか否かが識別され、異常紙幣であると判別された場合は紙幣が返却される。一方、紙幣が異常でないと判別された場合は、紙幣投入ノズル２６に移送される。紙幣投入ノズル２６に移送された紙幣は、紙幣投入ノズル２６と紙幣保留ユニット１２との間に設けられ、紙幣の誘導路と紙幣を回転させて紙幣保留ユニット１２に押圧する搬送押圧回転体３０によって９０度向きが変えられて紙幣保留ユニット１２の紙幣格納領域３４に押圧され収納される。
【００２６】
また、紙幣投入装置２２は、ＣＰＵやメモリを備えた制御部を内蔵（図示せず）しており、保留中継ユニット１４から投入禁止データを受信した場合には、紙幣投入装置２２への紙幣取込みを禁止する機能を有している。
【００２７】
ここで、投入禁止データとしては、以下の３つがある。
（１）紙幣搬送ユニット１６が接近し、紙幣の回収を行う必要があるために紙幣投入を禁止するためのデータ。
【００２８】
（２）紙幣保留ユニット１２が満杯で、それ以上紙幣を投入できない場合に紙幣投入を禁止するためのデータ。
（３）紙幣保留ユニット１２や紙幣搬送ユニット１６に紙幣詰り等の異常が発生しているため紙幣の投入を禁止するためのデータ。
【００２９】
このほか、紙幣投入装置２２は、遊技媒体貸出装置１０にエラーがあった場合に紙幣保留ユニット１２及び紙幣搬送ユニット１６に表示と待機とを実行させるためのエラー信号を保留中継基板１４に送信するエラー信号伝送機能を有する。
【００３０】
次に、紙幣投入装置２２の制御部で実行される紙幣投入処理について、図３のフローチャートに従って説明する。
紙幣投入処理は、制御部の電源投入と同時に実行が開始され、図３に示すように、先ずＳ１００にて、投入禁止データを取得する。これは、前述したように、保留中継基板１４から入力され、紙幣搬送ユニット１６の位置や紙幣保留ユニット１２の異常が発生しているか否かのデータである。投入禁止データを取得したらＳ１０５へ移行する。
【００３１】
Ｓ１０５では、紙幣投入情報を取得する。ここでは、紙幣投入ユニット２４の端部（図２の右側方向）に設けられた、図示しない光センサからの信号（紙幣が入力されていればこのセンサから信号が出力される）情報を取得する。そして、取得後、Ｓ１１０へ移行して、紙幣が投入されているか否かを判定する。紙幣が投入されていなければ（Ｓ１１０でＮｏの場合）、Ｓ１００に戻って最初から紙幣投入処理を繰り返す。一方、紙幣が投入されていれば（Ｓ１１０でＹｅｓの場合）、Ｓ１１５へ移行する。
【００３２】
Ｓ１１５では、Ｓ１００にて取得した投入禁止データが投入禁止を示しているか否かを判定する。そして、投入禁止を示していれば（Ｓ１１５でＹｅｓの場合）、Ｓ１００に戻って、投入禁止データの取得を繰り返す。逆に、投入禁止を示していなければ（Ｓ１１５でＮｏの場合）、Ｓ１２０へ移行する。
【００３３】
Ｓ１２０では、投入された紙幣を紙幣投入ユニット２４内に取込み、Ｓ１２５へ移行する。
Ｓ１２５では、紙幣が真性紙幣であるか否かが紙幣識別装置（ビルバリ）によって判定された結果が入力される。そして、真性紙幣でなければ（Ｓ１２５でＮｏの場合）、Ｓ１３０へ移行して紙幣を返却し、Ｓ１００に戻り、最初から紙幣投入処理を繰り返す。逆に、真性紙幣（Ｓ１２５でＹｅｓの場合）、Ｓ１３５へ移行して、投入紙幣枚数をカウントし、続くＳ１４０で遊技媒体貸出装置１０に遊技媒体支払指令を出力する。そして、Ｓ１４５へ移行して、紙幣を紙幣保留ユニット１２に搬出する。
【００３４】
Ｓ１４５にて、紙幣を紙幣保留ユニット１２に搬出した後、Ｓ１００に戻り最初から紙幣投入処理を繰り返す。
尚、本紙幣投入処理は、制御部の電源が遮断されると停止される。
【００３５】
以上の、構成、機能を有する紙幣投入装置２２によれば、保留中継基板１４から、投入禁止を禁止する旨の投入禁止データを受け取ると、紙幣投入を行わないため、紙幣投入装置２２における紙幣詰りの発生、紙幣の搬送障害等のユニット故障を防止することができる。
<保留中継基板>
図４は、保留中継基板１４の外観図である。
【００３６】
保留中継基板１４は、紙幣投入装置２２内に脱着可能に格納されている平板状の板部材であり、基板の四隅に設けられたビス孔７６によって中継基板収納ボックス７５に取り付けられている。保留中継基板１４の基板本体７１には、ＬＥＤ７２、ロータリースイッチ７３及びデップスイッチ７４が備えられている。
【００３７】
ＬＥＤ７２は、発光色の異なる３個のＬＥＤ（ＲＧＢ）が配設され、紙幣保留ユニット１２（図１参照）の満杯状態、紙幣保留ユニット１２の取外しや紙幣保留ユニットカバー４３の開放や紙幣詰りなどの異常を表示するとともに電源インジケータを兼ねている。具体的には、紙幣保留ユニット１２について紙幣詰り、扉開放、ユニット取外しなどの異常が検出された場合、島管理装置４(図１参照）に異常信号を出力し、紙幣搬送ユニット１６（図１参照）における搬送を禁止するともに、紙幣保留ユニット１２に対向して配設された表示部（保留中継基板１４のＬＥＤ）で紙幣保留ユニット１２に対して異常の種別を識別して表示する。例えば、保留中継基板１４に配設された３色のＬＥＤの組み合わせや、点灯と点滅との組み合わせにより複数種類の異常を識別して表示することができる。
【００３８】
ロータリースイッチ７３とデップスイッチ７４とは、島端末５（図１参照）の紙幣保留ユニット１２のアドレスを設定するためのアドレス設定手段である。ロータリースイッチ７３は、島端末５の紙幣保留ユニット１２が遊技機島２の前面側か背面側の何れかにあるかを設定し、デップスイッチ７４は、島端末５の紙幣保留ユニット１２の個体のアドレスを設定するためのスイッチである。具体的には、複数のデップスイッチ７４を切換設定してデータビットを指定することにより、島端末５の紙幣保留ユニット１２のアドレスが設定される。
【００３９】
保留中継基板１４は、このアドレスにより特定される紙幣保留ユニット１２の紙幣保留動作状況を示すデータを島管理装置４に送信する。
また、紙幣保留ユニット１２には、紙幣搬送ユニット１６の接近を検出するセンサが設けられており、保留中継基板１４は、紙幣搬送ユニット１６の紙幣保留ユニットへ１２への接近データを島管理装置４に送信する。つまり、保留中継基板１４は、紙幣搬送ユニット１６の移動情報を島管理装置４に送信する。
【００４０】
保留中継基板１４は、このようにアドレス設定機能を有しているため、多数の紙幣保留ユニット１２と紙幣搬送ユニット１６とを中継接続によって脱着交換可能な状態で統括的に制御できる。また、紙幣保留ユニット１２を当該遊技機島２の紙幣搬送経路１８上より交換した場合においても新たな紙幣保留ユニット１２に識別番号を再設定する必要なく交換した紙幣保留ユニット１２と紙幣搬送ユニット１６とが識別できるとともに制御できる。
【００４１】
更に、保留中継基板１４は、紙幣保留ユニット１２を介して紙幣搬送ユニット１６の位置を島管理装置４に送信しているため、搬送されている紙幣が遊技機島２の紙幣搬送経路１８上の何れの位置にあるかが島管理装置４において確認可能になる。
【００４２】
また、保留中継基板１４は、紙幣投入装置２２と紙幣保留ユニット１２及び紙幣搬送ユニット１６との間の電気接続が完了していないと遊技媒体貸し出し操作が受付けられない旨を表示する。具体的には、紙幣投入装置２２と紙幣保留ユニット１２及び紙幣搬送ユニット１６との間における断線やそれらの装置の未接続を保留中継基板１４に設けたＬＥＤ７２で次のように表示する。
【００４３】
（ア）紙幣保留ユニット１２と保留中継基板１４が接続されると３個のＬＥＤ７２のうちの何れかを点灯する。
（イ）紙幣保留ユニット１２及び紙幣搬送ユニット１６と島管理装置４が電気的に接続されると保留中継基板１４に配設された３個のＬＥＤ７２を全て点灯する。
【００４４】
また更に、保留中継基板１４は、遊技媒体貸出装置１０と紙幣保留ユニット１２及び紙幣搬送ユニット１６間におけるデータ通信回路の電源系統と異なる電気系統の断線が検出された場合に遊技媒体貸出装置１０と紙幣保留ユニット１２及び紙幣搬送ユニット１６との間における紙幣搬送動作を停止する信号を発信する。
【００４５】
保留中継基板１４は、紙幣保留ユニット１２について紙幣詰り、扉開放、ユニット取外し異常が検出された場合、島管理装置制御部８０に異常信号を出力する。また、ＬＥＤ７２で当該紙幣保留ユニット１２の異常の種別を識別して表示をする保留ユニット識別機能を有している。具体的には、保留中継基板１４のＬＥＤの色彩、点灯、消灯及び点滅の組み合わせにより複数種類の異常を識別して表示している。従って、異常の発生した紙幣保留ユニット１２を遊技機島２の当該紙幣保留ユニット１２に対して確認することができるので、異常発生箇所の発見に労力を費やす必要がなくなるとともに、更に継続して紙幣が搬送され続け障害が拡大することを防止できる。
【００４６】
更に、保留中継基板１４は、その保留中継基板１４が付設されている紙幣保留ユニット１２を島管理装置制御部８０で識別させる識別データを設定変更可能とする識別データ設定変更手段を有する。（ロータリースイッチとデップスイッチとで遊技機島２の前面側、背面側及び特定紙幣保留ユニット１２のアドレスを設定して識別可能としている。）従って、紙幣保留ユニット１２を遊技機島２に設置する場合や紙幣搬送経路１８から交換した場合において紙幣保留ユニット１２と島管理装置において識別表示させることができる。
【００４７】
特に保留中継基板１４においてパラメータを設定する場合においては、同一箇所に位置する保留中継基板１４のパラメータを設定変更することなく異なる新たな紙幣保留ユニット１２を紙幣搬送経路１８上に配置することが可能となる。
【００４８】
尚、保留中継基板１４に対して脱着可能にされる第二の基板をコネクタ接続して当該紙幣搬送装置における制御パターンを適宜設定可能とするパラメータ設定手段を有するようにしてもよい。
【００４９】
また、保留中継基板１４は、紙幣投入装置２２、遊技媒体貸出装置１０、島管理装置４、紙幣搬送ユニット１６の電気接続が完了していない場合に遊技媒体貸し出し操作を禁止する信号を出力する電気的接続条件判定手段を有している。即ち、それらの装置の電気的接続がなされていないか、あるいは、それらの装置間の配線に断線がある場合に、遊技媒体貸出装置１０に貸出禁止信号を出力するとともに紙幣投入装置２２に紙幣投入禁止信号を出力する。
【００５０】
従って、紙幣を遊技媒体貸出装置１０に投入したにも拘わらず紙幣投入装置２２側で紙幣を搬送処理することができない不具合が解消されるとともに、貸出し金額等に係る遊技媒体貸出装置１０からの入金データが島管理装置制御部８０に至らず喪失してしまうことを防止できる。
【００５１】
また、保留中継基板１４は、遊技媒体貸出装置１０と紙幣保留ユニット１２間における断線を保留中継基板１４に設けたＬＥＤで表示する構成となっている。
また、保留中継基板１４は、紙幣保留ユニット１２と保留中継基板１４が接続されるとＬＥＤを点灯させ、紙幣搬送ユニット１６と島管理装置制御部８０とが電気的に接続されると保留中継基板１４に設けられたＬＥＤを点灯させる紙幣搬送回路断線表示手段を有している。従って、紙幣を遊技媒体貸出装置１０に投入したにも拘わらず紙幣投入装置側２２で紙幣を搬送処理することができない不具合の発生と、貸出し金額等に係る遊技媒体貸出装置１０からの入金データが喪失してしまう不具合の発生とを未然に防止することができる。更に、ＬＥＤの点灯状態により、未接続の紙幣保留ユニット１２が容易に確認できる。
【００５２】
また、保留中継基板１４は、遊技媒体貸出装置１０と紙幣搬送ユニット１６との間におけるデータ通信回路の断線（電源系統と異なる電気系統の断線）が検出された場合に遊技媒体貸出装置１０と紙幣搬送ユニット１６との間における紙幣搬送動作を停止する紙幣搬送停止手段を有している。従って、紙幣が物理的に搬送されているにも拘わらず、紙幣の遊技媒体貸出しに係る入金データや紙幣転送に係る制御信号が送受信されず、紙幣投入装置２２が異常処理を行うという状況が発生することを未然に防止できる。
<紙幣保留ユニット>
<構成と機能>
図５は、紙幣保留ユニット１２の構成図である。図５（ａ）は、紙幣保留ユニット１２の紙幣保留ユニット基体４２の拡大平面図であり、図５（ｂ）は、紙幣保留ユニット１２の全体を表す平面図であり、図５（ｃ）は、紙幣保留ユニット１２の紙幣保留ユニットカバー４３を表す平面図である。
【００５３】
紙幣保留ユニット１２は、紙幣投入装置２２に投入された紙幣を一時保留し、一時保留した紙幣を紙幣搬送ユニット１６に引き渡す装置である。
紙幣保留ユニット１２は、紙幣保留ユニット基体４２と紙幣保留ユニットカバー４３とから構成されている。紙幣保留ユニット基体４２は、ほぼ矩形平板状の部材であり、平板部分には紙幣格納領域３４（図５（ｂ）参照）が形成され、平板の一端には紙幣導入路３５が形成されている。
【００５４】
紙幣導入路３５は、紙幣投入ノズル２６から導出されてきた紙幣を紙幣保留ユニット１２に受け入れる受入口である。紙幣導入路３５に隣接して紙幣を紙幣格納領域３４に誘導する曲面形状の誘導路４４が形成されている。誘導路４４の紙幣導入路３５とは反対側の端部には紙幣保留ユニット格納口３５ａが設けられている。紙幣保留ユニット格納口３５ａは紙幣格納領域３４の入口となっている。
【００５５】
従って、紙幣は立てられた状態（図５の紙面の表裏方向）で、その紙幣の片側の短辺が図５の紙面下方向から紙面上方に向けて紙幣導入路３５に受け入れられ、誘導路４４で９０度右向きに方向が変えられた後、紙幣保留ユニット格納口３５ａを通過して紙幣保留ユニット格納口３５ａの右側に設けられた紙幣格納領域３４に格納される。
【００５６】
紙幣保留ユニット基体４２には、ＣＰＵやメモリを備えた制御部（図示せず）とＤＣモータ３２と紙幣収容第１回転体３３とが組み付けられている。この実施形態の他、保留中継基板１４に制御部を設ける構成としてもよい。
【００５７】
制御部は、紙幣導入路３５の入口に設けられた入口センサ３１により紙幣の搬入が検知されると、ＤＣモータ３２を起動し、紙幣収容第１回転体３３を回転駆動させる。そして、紙幣収容第１回転体３３は、誘導路４４にある紙幣を摺動摩擦力で誘導路壁面に押し付けつつ、紙幣を紙幣保留ユニット格納口３５ａに導く。
【００５８】
紙幣保留ユニット１２では、紙幣取込み動作が当該紙幣保留ユニット１２に対する紙幣搬送ユニット１６の移動動作のない場合に限って許容されている。そして、紙幣保留ユニット１２では、格納された紙幣が所定の枚数（本実施形態では２０枚）内で、扉開放と紙幣詰りとを含む異常がないと判定された場合に、紙幣搬送ユニット１６における紙幣の搬送を実行される。
【００５９】
また、紙幣保留ユニット１２では、制御部により紙幣満杯判定、紙幣詰りの異常判定、紙幣保留ユニットカバー４３の開放判定が実行され、何れかに該当する場合には、制御部は、保留中継基板１４に異常発生データを送信する。その結果、保留中継基板１４を介して異常発生データを受信した島管理装置制御部８０は、紙幣搬送ユニット１６における紙幣搬送を禁止するとともに、紙幣投入装置２２は入金処理（紙幣の取込み）を禁止することとなる。
【００６０】
そして、制御部は、遊技機島２における紙幣搬送経路１８に設置された紙幣保留ユニット１２における当該紙幣保留ユニット１２の紙幣保留ユニットカバー４３取出し、若しくは当該紙幣保留ユニット１２の扉開放を検出した場合にも、保留中継基板１４に異常発生データを送信する。その結果、保留中継基板１４を介して異常発生データを受信した紙幣搬送ユニット１６は紙幣回収動作を停止し、紙幣投入装置２２は入金動作を停止することとなる。
【００６１】
更に、制御部は、投受光レベルによって「正当な紙幣あり」と判定した場合に、紙幣搬送ユニット１６と紙幣保留ユニット１２による島管理装置４の金庫への紙幣搬送を許容する。判定投光側の変化に対応して受光側の出力電圧のレベル変化により真正な判定を実現することができる。
【００６２】
これは、遊技機島２における紙幣搬送の実行条件となる紙幣の有無の判定を、外乱光の影響を抑制して実行する機能であって、制御部は、発光側の変化に対応して出力電圧が変化する場合を「紙幣なし」、出力電圧が変化しないでＬｏの場合を「紙幣あり」として判定し、紙幣の有無を示す紙幣有無データを保留中継基板１４に出力する。その結果、保留中継基板１４を介して紙幣有無データを受信した島管理装置制御部８０は、紙幣保留ユニット１２及び紙幣搬送ユニット１６における紙幣搬送動作を許可する。
【００６３】
また、制御部は、遊技場の紙幣保留ユニット１２及び紙幣搬送ユニット１６における紙幣収容部に収用した紙幣の破れ、破損、折れ、曲がりに起因する異常判定を、紙幣保留ユニット１２及び紙幣搬送ユニット１６の何れかに設けられた紙幣の格納領域に格納した紙幣の紙幣検出領域の相違（大小、不一致を含）により判定する。
【００６４】
また、制御部は、紙幣保留ユニット１２への紙幣誘入に伴って生じるセンサによりＤＣモータ３２を起動させ、センサにおける紙幣通過後の光透過により紙幣保留ユニット１２に設けられたＤＣモータ３２の回転を停止する。
【００６５】
更に、制御部は、紙幣に対する光センサの透過状態と遮蔽状態とに基づいて、異常紙幣が紙幣保留ユニット１２から取除かれたことを判定するとともに、紙幣の取除きが完了してから一定時間（０．２秒）遅延させて、ＤＣモータ３２を再駆動して紙幣を紙幣保留ユニット１２内への格納動作を再開する。
【００６６】
<紙幣保留処理>
以上の構成及び機能を有する紙幣保留ユニット１２において制御部が実行する紙幣保留処理を図６のフローチャートに基づき説明する。
【００６７】
紙幣保留処理は、紙幣保留ユニット１２の電源投入と同時に制御部で処理が開始され、図６に示したように、先ずＳ２００にて入口センサ３１（図５参照）の情報を取得し、Ｓ２０５へ移行する。
【００６８】
Ｓ２０５では、Ｓ２００にて取得した入口センサ情報に基づき、紙幣が紙幣保留ユニット１２に送られてきたか否かを判定する。そして、紙幣が送られてきていなければ（Ｓ２０５でＮｏの場合）、Ｓ２００に戻って入口センサ３１の情報取得を繰り返す。一方、紙幣が送られてきていれば（Ｓ２０５でＹｅｓの場合）、Ｓ２１０へ移行してＤＣモータ３２を正回転させ、Ｓ２１５へ移行し、紙幣取込センサ３９の情報を取得した後Ｓ２２０へ移行する。
【００６９】
Ｓ２２０では、Ｓ２１５で取得した紙幣取込センサ３９の情報に基づき、紙幣の取込みが完了したか否かを判定する。そして、紙幣の取込みが完了していなければ（Ｓ２２０にてＮｏの場合）、Ｓ２１５へ戻って紙幣取込センサ３９（図２、図５参照）からの情報取得を繰り返す。一方、紙幣の取込みが完了していれば（Ｓ２２０にてＹｅｓの場合）、Ｓ２２５へ移行する。
【００７０】
Ｓ２２５では、ＤＣモータ３２を逆回転させ、続くＳ２３０にて図示しない保留センサの情報を取得しＳ２３５へ移行する。このようにＤＣモータ３２を逆転させることで紙幣の搬送方向を９０°変換し、紙幣格納領域３４（図５参照）に紙幣を格納する。
【００７１】
Ｓ２３５では、Ｓ２３０にて取得した保留センサの情報に基づいて、紙幣格納領域３４への紙幣の取込みが完了したか否かを判定する。そして、紙幣の取込みが完了していなければ（Ｓ２３５でＮｏの場合）、Ｓ２３０へ戻り保留センサの情報取得を繰り返す。一方、紙幣の取込みが完了していれば（Ｓ２３５でＹｅｓの場合）、Ｓ２４０へ移行し、０．５秒待機した後、続くＳ２４５で図示しない反転センサの情報を取得し、Ｓ２５０へ移行する。
【００７２】
Ｓ２５０では、Ｓ２４５にて取得した反転センサの情報に基づき紙幣押圧回転体３６（図２参照）が初期位置にあるか否かを判定する。そして、紙幣押圧回転体３６が初期位置になければ（Ｓ２５０でＮｏの場合）、Ｓ２４５へ戻り、回転センサの情報取得を繰り返す。一方、紙幣押圧回転体３６が初期位置にあれば（Ｓ２５０でＹｅｓの場合）、Ｓ２５５へ移行してＤＣモータ３２を停止し、Ｓ２００に戻り紙幣保留処理を繰り返す。
【００７３】
尚、本紙幣保留処理は、紙幣保留ユニット１２の電源遮断で終了される。
<異常処理>
図７に紙幣保留ユニット異常処理のフローチャートを示す。この処理は、紙幣保留ユニット１２に設けられている各種センサからの信号入力があった場合に起動される割り込み処理であり、起動されると、先ずＳ７００にて各センサの情報を取得し、続くＳ７０５でどの部分に異常が発生したかを抽出した後Ｓ７１０へ移行する。
【００７４】
ここで、センサの異常情報とは、紙幣保留ユニット１２における、扉開放検出センサの開放検出情報、離脱検出センサの離脱検出、入口センサ紙詰り検出、取込センサ紙詰り検出、満杯状態検出の情報をいう。
【００７５】
Ｓ７１０では、ＤＣモータ３２を停止し、続くＳ７１５で異常発生情報（どのセンサで異常が発生したか）島管理装置制御部８０に送信した後、Ｓ７２０へ移行する。
Ｓ７２０では、各センサの情報を取得し、続くＳ７２５で、異常が解消したか否かを判定する。そして、異常が解消していなければ（Ｓ７２５でＮｏの場合）、Ｓ７２０に戻り、センサの情報取得を続ける。一方、異常が解消していれば（Ｓ７２５でＹｅｓの場合）、Ｓ７３０へ移行し、異常解消情報を島管理装置制御部８０に送信し、本処理を終了する。
【００７６】
以上のような紙幣保留ユニット１２は、紙幣保留ユニット１２における紙幣投入装置２２からの紙幣取込み動作が、紙幣保留ユニット１２に対する紙幣搬送ユニット１６の回収移動動作のない場合に限って許容される紙幣回収規制制御手段を有している。従って、紙幣相互の干渉や紙幣詰りの発生を防止できる。
【００７７】
また、紙幣保留ユニット１２は、紙幣満杯判定、紙幣詰り判定、若しくは紙幣保留ユニットカバー４３開放の何れかが発生している場合には、紙幣搬送ユニット１６における紙幣搬送を禁止するとともに、紙幣投入装置２２における入金処理（紙幣の取込み）を禁止する入金処理禁止制御手段を有している。従って、紙幣保留ユニット１２と紙幣搬送ユニット１６とにおける故障の発生が防止できるとともに紙幣保留ユニット１２と紙幣搬送ユニット１６とにおいて生じる紙幣詰りや紙幣の破損を防止できる。
【００７８】
更に、紙幣保留ユニット１２は、格納された紙幣が所定の枚数内であって、少なくとも紙幣搬送経路１８の開放と紙幣詰りとの異常がない場合には、紙幣搬送ユニット１６における紙幣の搬送を実行する紙幣搬送制御手段を有している。従って、予めこれらの異状の有無が確認された後に紙幣搬送が実行されるので、紙幣の破損や更なる紙幣詰りが防止できるとともに紙幣保留ユニット１２と紙幣搬送ユニット１６における故障の発生が抑制できる。
【００７９】
また、紙幣保留ユニット１２は、紙幣投入装置２２から紙幣搬送ユニット１６に至る紙幣搬送経路１８上における複数箇所でそれぞれ紙幣詰りを格別に検出して判定する複数個の紙幣詰り判定手段を有している（具体的には、入口センサ通過後、取込みセンサで紙幣詰りを検出）。従って、紙幣投入装置２２から紙幣搬送ユニット１６に至る紙幣搬送経路１８上で生じる異なる態様の紙幣詰りを併せて判定した後において紙幣の搬送が処理されることとなり紙幣搬送障害が頻発することが防止できる。
【００８０】
また、紙幣保留ユニット１２は、遊技機島２における紙幣搬送経路１８上に設置された紙幣保留ユニット１２を紙幣搬送経路１８上から取出しを検知した場合、若しくは紙幣保留ユニット１２の扉開放を検出した場合に、紙幣搬送ユニット１６の紙幣保留ユニット１２からの紙幣回収動作と紙幣投入装置２２における紙幣の入金処理をともに停止する紙幣搬送待機手段を有している。従って、紙幣保留ユニット１２が取外され若しくは紙幣保留ユニット１２の扉が開放されて紙幣搬送経路１８が分断された場合に、紙幣投入装置２２における入金処理や紙幣搬送ユニット１６による紙幣の取込み動作が停止されるので紙幣が紙幣搬送経路１８を外れて消失したり紙幣搬送経路１８の非連通時に紙幣が紙幣投入装置に入金されることが阻止できる。
【００８１】
また、紙幣保留ユニット１２は、投受光レベルによって「正当な紙幣あり」と判定した場合に、紙幣搬送ユニット１６と紙幣保留ユニット１２による金庫部９０への紙幣搬送を許容するとともに、判定投光側の変化に対応して受光側の出力電圧のレベル変化により真正な判定を実現（換言すれば、光の透過と遮蔽のみによって紙幣の有無を判別する構成ではない）する紙幣搬送認証制御手段を有する。従って、例えば遊技機島２における遊技機前面枠の開放などによる光の混入を原因とする誤動作による紙幣搬送障害を軽減できる。
【００８２】
また、紙幣保留ユニット１２は、遊技場内における紙幣搬送の実行条件となる紙幣の有無の判定を、外乱光の影響を抑制して実行する構成となっており、発光側の変化に対応して出力電圧が変化する場合を「紙幣なし」、出力電圧が変化しないでＬｏの場合を「紙幣あり」として判定した場合に紙幣搬送ユニット１６における紙幣搬送動作を許可する紙幣確認手段を有している。従って、光の透過と遮蔽のみによって紙幣の有無を判別する構成ではないので搬送対象紙幣判別の精度が高まり、誤動作による紙幣搬送障害を生じることを防止できる。また、遊技機島２における遊技機扉の開閉によって紙幣搬送ユニット１６に光が混入することによる誤動作を抑制することができる。
【００８３】
また、紙幣保留ユニット１２は、遊技場の紙幣搬送ユニット１６の紙幣収容部に収用した紙幣の破れ、破損、折れ、曲がりに基づく異常判定を、紙幣の紙幣検出領域の相違（大小、不一致を含む）により判定する搬送異常紙幣識別手段を有している。従って、紙幣が正規の紙幣搬送経路１８からずれ、あるいは変形変位して搬送され格納されることにより紙幣詰りや紙幣破損が発生することを防止するとともに当該装置（紙幣投入装置２２、紙幣保留ユニット１２、紙幣搬送ユニット１６、紙幣搬送経路１８、金庫部９０）に故障が生じることが防止できる。
【００８４】
また、紙幣保留ユニット１２は、紙幣投入装置２２の搬送速度より紙幣投入装置の後段に配置される紙幣保留ユニット１２の紙幣搬送速度を速く、若しくは同一速度に設定するとともに、紙幣保留ユニット１２における紙幣の取込みトルクが紙幣投入装置２２の紙幣搬送速度より弱く、若しくは同一トルクに設定した紙幣取込み作用調整手段を有している。従って、紙幣の取込み側の速度を紙幣が取込まれる側より速くするとともに、紙幣取込み側のトルクを紙幣が取込まれる側より小さくしたので、円滑な紙幣転送と転送に伴う紙幣破損の生じない搬送が実現できる。
【００８５】
また、紙幣保留ユニット１２は、紙幣保留ユニット１２への紙幣誘入による光遮蔽によりＤＣモータ３２を起動する一方、センサにおける紙幣通過後の光透過により紙幣保留ユニット１２に設けられたＤＣモータ３２を停止する紙幣保留ユニット動作制御手段を有している。従って、紙幣保留ユニット１２に取込む紙幣に対して非接触で検出するので、例えば紙幣投入装置２２から導入された紙幣を紙幣保留ユニット１２に折曲げ作用しつつ導入する際に生じる摩擦抵抗に影響を与えない円滑な紙幣転送が実現できる。
【００８６】
また、紙幣保留ユニット１２は、紙幣に対する光センサの透過状態と遮蔽状態との変換作用に基づいて、異常紙幣に対する紙幣保留ユニット１２からの紙幣取除き動作の完了を判定するとともに、紙幣の取除き動作が完了した一定時間（０．２秒）遅延させて、ＤＣモータ３２を再駆動して紙幣を紙幣保留ユニット１２内への格納動作を再開させる紙幣保留ユニット１２における紙幣保留動作制御手段を有している。従って、異常時における紙幣搬送動作の再起動が、異状回復後直ちに行われず一定時間経過した後行われるので、紙幣保留ユニット１２を構成する各部材や素子の復帰動作に遅延時間を要するものがあった場合にも紙幣投入装置２２についての円滑な再起動が実現できる。
【００８７】
また、紙幣保留ユニット１２は、異常判定検出後において、紙幣保留ユニット１２の扉の閉鎖を扉開放検出センサが検出することにより、保留中継基板１４若しくは島管理装置制御部８０に記憶された紙幣保留ユニット１２についての異常データをクリアする紙幣搬送異常データリセット手段を有している（つまり、リセットスイッチの操作によらない紙幣異常データリセット手段）。従って、紙幣詰りや紙幣保留ユニット１２の開放・離脱によって生じた異常データが、扉の紙幣保留ユニット１２への係着によって特別なリセット手段への操作がなされなくてもイニシャライズされるので、紙幣投入装置２２のリセット処理に労力を要さず、特にリセット操作忘れによる誤動作や不具合を紙幣搬送ユニット１６に生じることがなくなる。
【００８８】
また、紙幣保留ユニット１２は、紙幣保留ユニット１２の扉が開放離脱状態より閉鎖係着状態への復帰されることにより島管理装置制御部８０と保留中継基板１４を含む紙幣保留ユニット１２との異常データのイニシャライズと、当該センサにおける検出信号のリセットとを実行するともに、紙幣搬送ユニット１６におけるＤＣモータ３２の駆動位置を初期値に復帰させる紙幣搬送ユニット１６リセット手段を有している。従って、紙幣搬送ユニット１６に記憶された異常データが、紙幣保留ユニット１２の扉の係着に伴いリセット手段への操作をすることなくイニシャライズされるので、紙幣搬送ユニット１６の復帰処理に労力を要さず、特に操作忘れによる不具合を紙幣搬送ユニット１６に呈することを防止できる。
【００８９】
また、紙幣保留ユニット１２は、紙幣搬送ユニット１６において紙幣詰り等の異常が発生した場合に、紙幣取除き処理と電源投入信号とにより制御状態を異常状態（センサの検出リセット、球詰り表示の消去、ＤＣモータ３２による起動位置の初期化）より復帰させている（リセットスイッチの操作や扉の閉鎖によらない初期化手段）。従って、紙幣搬送ユニット１６で生じた異常データが、紙幣の取除き信号と電源投入とによって26特別なリセット手段に対する操作なく初期化される紙幣搬送ユニット初期化手段を有している。従って、紙幣搬送ユニット１６におけるリセット処理に労力を要さず、またリセット操作忘れによる紙幣搬送ユニットの誤動作や不具合を防止できる。
【００９０】
また、紙幣保留ユニット１２は、保留中継基板１４を含む紙幣保留ユニット１２に設けられた紙幣返却スイッチへの操作により当該紙幣保留ユニット１２におけるＤＣモータ３２の逆回転動作を実行して紙幣保留ユニットに挟持された異常紙幣を投入側に返却する紙幣取込み障害回復手段を有している。従って、紙幣保留ユニット１２の扉を開放し若しくは紙幣保留ユニット１２を取外して詰まった紙幣を取除かなくても、簡便なスイッチ操作により障害紙幣を直ちに紙幣保留ユニット１２より取除くことができる。
【００９１】
遊技機島２に構成される紙幣搬送経路１８から紙幣保留ユニット１２を開閉回動可能とする回動軸と、紙幣を保留する紙幣保留ユニット１２を紙幣搬送経路１８を形成する枠体より係脱可能とする係合部材とを有する紙幣搬送経路１８となっているため、遊技機島２に構成された紙幣搬送経路１８より障害の発生した紙幣保留ユニット１２を容易に取外し、再び紙幣搬送経路１８に紙幣保留ユニット１２を係着することが可能となる。
【００９２】
また、紙幣保留ユニット１２には紙幣が誘導路を介して紙幣投入ノズル２６より導入される。すると、紙幣保留ユニット１２における入口センサ３１による紙幣検出によってＤＣモータ３２が起動される。
【００９３】
ＤＣモータ３２が駆動されると、ＤＣモータ３２の回転軸に連繋される図示しないギア機構を介して紙幣収納第１回転体３３が回転する。すると、紙幣が紙幣収容第１回転体３３による接触摩擦と蹴出し作用を受けて紙幣保留ユニット１２の紙幣格納位置まで進入する。
【００９４】
ここで、紙幣保留ユニット１２における紙幣格納領域３４には、上下一対の紙幣押圧回転体３６が設けられ、その紙幣押圧回転体３６は、ＤＣモータ３２にギア機構を介して連繋され正逆回転可能に軸支されている。一対の紙幣押圧回転体３６には紙幣収容溝３６ａが刻設され、紙幣保留ユニット１２の紙幣格納領域３４に導入された紙幣が当該上下一対の紙幣収容溝３６ａ内に納められて係止される。
【００９５】
また、入口センサ３１による紙幣の検出に基づいて起動されたＤＣモータ３２の回転は一定時間（０．５秒）継続されて紙幣の紙幣収容溝３６ａへの収納動作が完了する。
そして、紙幣格納領域３４、即ち、紙幣収容溝３６ａへの紙幣の格納動作が完了すると紙幣格検出センサにより紙幣の格納が検出される。紙幣の紙幣格納センサによる格納検出に基づいてＤＣモータ３２が再び起動され、図示しないギア機構を介して紙幣押圧回転体３６が回動され紙幣収容溝３６ａで係止された紙幣が回動動作に伴って紙幣挟持片３６ｂと紙幣押圧回転体３６の背面とによって把持される。
【００９６】
即ち、紙幣押圧回転体３６の回転動作によって紙幣保留ユニット１２の紙幣格納領域３４に誘導された紙幣は、紙幣挟持片３６ｂと紙幣押圧回転体３６の背面とによって挟持され、所定枚数に至るまで順次積層され、紙幣保留ユニット１２の紙幣格納領域３４に格納される。
【００９７】
また、紙幣押圧回転体３６の紙幣収容溝３６ａが、紙幣投入ノズル２６より紙幣を係入する回動位置は、紙幣押圧回転体３６の回動位置を検出する反転センサからの出力信号に基づいて決定され、反転センサの検出信号に対応してＤＣモータ３２が初期位置に復帰して停止するよう回転制御される。
【００９８】
ところで、所定枚数の判定は、入口センサ３１の検出動作によるパルス波計数を制御部の演算手段を介して実行されるが、入口センサ３１の代わりに紙幣取込センサ３９の検出動作に基づいて実行されるものでも、あるいは紙幣投入装置２２に設けられた紙幣識別用のセンサに基づいて実行されるものであってもよい。
【００９９】
次に、図２若しくは図５において前面側及び背面側の複数の紙幣保留ユニット１２が取囲む中央部は、紙幣搬送ユニット１６が移動する紙幣搬送経路１８となる。
そして、紙幣保留ユニット１２の紙幣挟持片３６ｂと紙幣押圧回転体３６の背面とによって把持された紙幣は、紙片搬送ユニット１６の図示しない係動片によって紙幣保留ユニット１２の紙幣挟持片３６ｂが押動されて開放される状態となる。そして、紙幣挟持片３６ｂが開放された後紙幣搬送ユニット１２の搬送紙幣収容台５４から紙幣を紙幣搬送ユニット１６に取込む。
【０１００】
紙幣搬送ユニット１６に取込まれた紙幣は島管理装置４に設けられた金庫部９０に向かって搬送される。
一方、紙幣保留ユニット１２の紙幣格納領域３４に紙幣が保留されている状態において紙幣の返却が必要とされる場合には、（例えば、入口センサ３１、紙幣取込センサ３９、若しくは紙片格納検出センサにおいて所定時間以上紙幣の検出状態が継続して検出されたことを原因として紙幣詰りが判定された場合、あるいは紙幣の破損が判定された場合。）これらのセンサ信号の判定結果に基づいて島管理装置４から図１７で示す送受信データ、即ち、島管理装置４からの問い合わせデータ図１７（ａ）に応答して、異常情報を有する応答データ（コマンド）図１７（ｂ）（ｃ）を処理した島管理装置制御部８０からの制御指令コマンド図１７（ａ）が保留中継基板１４に送信される。
【０１０１】
制御指令コマンドを受信した保留中継基板１４は、保留中継基板１４に設けられた（実施形態によっては紙幣保留ユニット１２に設けられた）制御部のモータ制御回路を介してＤＣモータ３２を反転起動する。そして、ＤＣモータ３２の逆回転によって紙幣収容第１回転体３３が紙幣を押圧逆転して、紙幣を紙幣格納領域３４側より紙幣投入装置２２方向に導出する。
【０１０２】
また、紙幣押圧回転体３６の反転回動によっては、紙幣収容溝３６ａで係止される紙幣が紙幣保留ユニット１２の紙幣保留ユニットカバー４３側に向けて繰出される。従って、紙幣保留ユニットカバー４３が開放されることにより紙幣格納領域３４において詰りを呈した紙幣を容易に取除くことができる。
【０１０３】
なお、紙幣搬送ユニット１６が遊技機島２を移動する紙幣搬送経路１８の構造を図８において示した。紙幣保留ユニット基体４２に対して、紙幣保留ユニットカバー４３は紙幣保留ユニット１２の回動軸を介して旋回されて紙幣保留ユニット１２の紙幣保留領域を露出する構造となっている。図５を併せて参照。
【０１０４】
紙幣搬送経路１８において、紙幣保留ユニットカバー４３の前記回動軸側の他端には、紙幣搬送経路１８のフレーム構造を補強するとともに紙幣搬送経路側カバー４７に積層されて摺動する紙幣搬送経路側カバー摺動体４８（ユニット）と嵌合して、該紙幣搬送経路側カバー摺動体４８の移動と紙幣保留ユニット蓋（カバー）４３の開放とを所定の島管理者以外実施することができないものとする鍵部材１０８が設けられている。
【０１０５】
紙幣搬送経路側カバー４７と紙幣搬送経路側カバー摺動体４８とは、紙幣搬送ユニット１６が往復移動する進路の軸線上に平行な複数の摺動軸を有する凹凸面形状をもって紙幣搬送経路側カバー４７に紙幣搬送経路側カバー摺動体４８が嵌合されて積層される。これによって紙幣搬送経路を形成するフレーム構造が補強されるとともに、遊技機島２に固着された紙幣搬送経路１８の枠側に設けられた紙幣搬送経路側カバー４７より紙幣搬送経路側カバー摺動体４８のスライド操作によって紙幣搬送経路１８に作業用の開口が形成され、紙幣搬送経路１８内を通過する紙幣搬送ユニット１６などに対する作業を行うことが可能となる。
【０１０６】
なお、紙幣搬送経路側カバー４７と紙幣搬送経路側カバー摺動体４８とはともに透明半透明の合成樹脂材で形成して紙幣若しくは紙幣搬送ユニットを視認できるようにするのが好ましい。
【０１０７】
また、紙幣保留ユニット１２に関する紙幣詰りが判定された場合において、紙幣保留ユニット１２の紙幣保留領域内で捕捉された紙幣は、紙幣保留ユニットカバー４３の先端に設けられた鍵部材１０８（図８及び図５参照）を解錠操作して、紙幣搬送経路側カバー摺動体４８に鍵着された紙幣保留ユニットカバー（扉、蓋）４３を紙幣搬送経路側カバー摺動体４８より開放することができる。これにより紙幣保留ユニット１２の紙幣保留領域で捕捉されていた詰り紙幣は、遊技場の管理者により取除かれることが可能となる。
【０１０８】
また、紙幣保留ユニットカバー４３を含む紙幣保留ユニット１２が、鍵部材１０８に対する解錠操作によって、紙幣搬送経路１８を構成する枠体例えば紙幣搬送経路側カバー摺動体４８若しくは紙幣搬送経路側カバー４７取外し可能とされる。そして、紙幣保留ユニット１２を上記回動軸における軸支状態を取除くことによって、当該紙幣搬送経路１８の一部を構成した当該紙幣保留ユニット１２を紙幣搬送経路構造体より分離し離脱させることができる。なお、回転軸の軸支構造については軸棒を付勢手段により軸孔で係支させる。
【０１０９】
一方、軸棒を付勢手段による付勢作用から解除して軸孔より離脱させる構造が公知となっている。
以上により、例えば、紙幣保留ユニット１２において故障が発生した場合には、新たな紙幣保留ユニット１２に交換することが可能となり、故障の発生した紙幣保留ユニット１２に対する修理も容易に行えることとなる。併せて、紙幣保留ユニット１２紙幣搬送経路１８を構成する枠体より取除けば、紙幣搬送経路１８が開放されることとなって、紙幣搬送経路１８に対する保守作業や修理を容易に支障無く行うことも可能とする。
【０１１０】
なお、上記の遊技機島２に固着された紙幣搬送経路側カバー４７に対する紙幣搬送経路側カバー摺動体４８の伸縮摺動によって、遊技機島２に多数設置される紙幣保留ユニット１２相互の間隔が異なる場合であっても、紙幣搬送経路１８を適正に保護嵌装することができることともなる。
【０１１１】
なお、既述の紙幣詰りの判定に関する制御工程は次のようなものとなっている。
即ち、紙幣投入ノズル２６より導入された紙幣が紙幣保留ユニット１２における誘導路を通過して紙幣格納領域に至る過程において入口センサ３１と紙幣取込センサ３９とから放射される投光がともに遮蔽されて「紙幣あり」と検出され、しかも「紙幣あり」の検出状態が所定時間（６０ｍ秒）以上経過しても遮断状態が透過状態に復帰しない場合においては、紙幣詰りが判定されるとともに紙幣詰りが生じた箇所が入口センサ３１と紙幣取込センサ３９とを結ぶ位置において発生していることが判定される。
【０１１２】
また、紙幣押圧回転体３６がＤＣモータ３２より起動された信号が検出された後、所定時間経過しても反転センサによる紙幣押圧回転体３６の位置検出信号が受信されない場合にあっては、紙幣押圧回転体３６の紙幣収容溝３６ａで係止されていた紙幣が紙幣押圧回転体３６近傍において紙幣詰りを呈したと判定する。
【０１１３】
これらの紙幣詰り判定制御回路は保留中継基板１４の制御部に設けられ、紙幣保留ユニット１２で生じた紙幣詰りに対しては紙幣保留ユニット１２に対設された保留中継基板１４において判定制御されるものである。
【０１１４】
そして、既述したように、遊技機島２に列設された多数の紙幣保留ユニット１２における特定のアドレスを有する紙幣保留ユニット１２において紙幣詰りが発生すると、その紙幣詰りが発生したことを保留中継基板１４が島管理装置４に知らせる。
【０１１５】
つまり、島管理装置４の制御部からネットワークを介して送信されてくる問い合わせデータ図１７（ａ）に応答して、その紙幣詰りが紙幣保留ユニット１２の入口センサ３１と紙幣取込センサ３９とを結ぶ線上の近傍において生じていることを保留中継基板１４が応答コマンドのデータのビット列（図１７（ｂ）、図１７（ｃ））をもって返信する。
【０１１６】
そして、島管理装置４では、その応答コマンドを受け、島管理装置表示操作パネル８１において紙幣詰りの異常表示が実行される。
つまり、島管理装置４に設けられた島管理装置表示操作パネル８１の蛍光表示パネル８２において異常表示（Ｅ）がされる。更に、管理装置表示操作パネル８１は、遊技場管理者による操作ボタン（表示ボタン８４、機能ボタン８５、移動表示ボタン８５ａ、加減ボタン８５ｂ、解除ボタン８６、決定ボタン８７）への選択操作によって画面を詳細画面に切換え、前述の紙幣詰りが所定のアドレスを有する特定の紙幣保留ユニット１２において発生した事実と、更に特定の紙幣保留ユニット１２における入口センサ３１と紙幣取込センサ３９とを結ぶ線上の近傍において紙幣詰りが発生している事実とが確認できる構成となっている。
【０１１７】
一方、保留中継基板１４いは発光色の異なる３個のＬＥＤ（ＲＧＢ）が配設されていて、保留ユニット１２において紙幣詰りが生じたことをＲＧＢ同時点灯により報知するようになっている。
【０１１８】
同時に、保留中継基板１４は紙幣投入装置２２のホルダ内の脱着可能に係着される構造であり、ＬＥＤからの投光は紙幣投入装置２２の図示しないホルダに透設された表示孔より拡散される構造を有する。
【０１１９】
一方、紙幣保留ユニット１２に遊技機島に延設された上蓋と底板と、既述の紙片搬送ユニット側カバーと紙幣返送ユニット側カバーとから形成される紙幣搬送経路１８の下端の底板版上には搬送ユニット案内レール５１が敷設されている。搬送ユニット案内レール５１の内側面を滑走する紙幣搬送ユニット１６には搬送ユニット第１ローラ５２が、下方端には片側に２個の搬送ユニット第２ローラ５３が架設された紙片搬送ユニットが搬送ユニット案内レール５１に嵌装されている。
【０１２０】
島管理装置４内の金庫部９０に設けられた送りモータ５５（紙幣搬送駆動モータ）に連係された紙幣搬送ユニット作用紐が紙幣搬送駆動モータ５５の正回転によって島管理装置４側に紙幣搬送ユニット１６を牽引して移動させる。また、紙幣搬送駆動モータ５５の逆回転動作により島管理装置４とは反対方向である遊技機島２端部に設けられた紙幣搬送ユニット１６の待機位置に紙幣搬送ユニット１６が移送される。
【０１２１】
なお、以上に説明した以外にも、入口センサ３１、紙幣取込センサ３９、反転センサ、紙幣格納検出センサにおける検出動作を組み合わせて紙幣詰りを判定させてもよいことは勿論である。
<紙幣搬送ユニット>
紙幣搬送ユニット１６は、紙幣保留ユニット１２に一時保留されていた紙幣を回収し島管理装置４に搬送する装置である。
【０１２２】
紙幣搬送ユニット１６は、図２に示すように、平板の縦面を有する部材であり、縦面には紙幣を収容する搬送紙幣収容台５４が設けられている。紙幣搬送ユニット１６は、紙幣搬送経路１８に設けられた紙幣搬送ユニットガイドレール５１に沿って移動する。紙幣搬送ユニット１６の上端に取り付けられた紙幣搬送ユニット第１ローラ５２と紙幣搬送ユニット１６の下端に取り付けられた搬送ユニットローラ５３とが紙幣搬送ユニットガイドレール５１に沿って転動することにより、紙幣搬送ユニット１６が紙幣搬送ユニットガイドレール５１に沿って移動する。
【０１２３】
このような構成の紙幣搬送ユニット１６の動作について以下に説明する。
紙幣搬送ユニット１６は、図１に示す遊技機島２内の背面側島端末５（図１の紙面上方向）と右側島端末５（図１の紙面下方向）との間に設けられた紙幣搬送経路１８に沿って島管理装置４と各島端末５との間を移動する。
【０１２４】
一部重複して説明すれば、遊技機島２端部における初期の待機位置で停止していた紙幣搬送ユニット１６は、遊技機島２に列設された多数の紙幣保留ユニット１２の何れかにおける紙幣の保留枚数が２０枚に達したことが判定された場合には、判定信号を出力した紙幣保留ユニット１２に向かって移送される。保留ユニット１２での紙幣保留枚数は、紙幣が通過することによって紙幣取込センサ３２の光が遮断される都度、保留中継基板１４に設けられた演算手段のカウンタ回路による加算処理がなされる。
【０１２５】
そして、２０枚の保留枚数が演算手段のカウンタ回路によりカウントアップされたと制御部の判定回路が判定すると、既述したように、その判定信号が島管理装置４からの問い合わせデータ図１７（ａ）に応答して応答コマンド図１７（ｂ）、図１７（ｃ）に含まれるカウントアップデータが島管理装置４に返信される。
【０１２６】
島管理装置４においては、受信した応答コマンドを判別して紙幣満杯が判定された紙幣保留ユニット１２を識別する。これにより遊技機島２の端部で待機していた紙幣搬送ユニット１６は、紙幣搬送モータ５５（送りモータ５５）に連係された紙幣搬送ユニット作用紐が牽引され紙幣満タン信号を発信した紙幣保留ユニット１２に向かって移動を開始する。
【０１２７】
また、紙幣搬送ユニット１６が紙幣保留ユニット１２に接近すると紙幣保留ユニット１２に設けられた搬送ユニット検出センサが紙幣の接近から対置を検出する。
なお、この場合、遊技機島２の紙幣搬送経路１８上を移動する紙幣搬送ユニット１６に対して前後に配列された状態となる複数の紙幣保留ユニット１２の紙幣搬送ユニットセンサにより紙幣搬送ユニット１２における紙幣搬送ユニット１６側への紙幣の転出動作を当該紙幣保留ユニット１２への紙幣搬送ユニット１６の到着が当該紙幣保留ユニット１２によっては検出できない早い段階で、前方に位置する紙幣保留ユニット１２で検出できるので、紙幣の紙幣保留ユニット１２への収容処理時間を長くできる一方、紙幣保留ユニット１２から紙幣搬送ユニット１６への紙幣繰出し動作タイミングを適正に設定する構成としてもよい。
【０１２８】
さて、紙幣搬送ユニット１６が紙幣保留ユニット１２に対置された場合には、紙幣保留ユニット１２の搬送ユニット検出センサが紙幣搬送ユニット１６を捉えて紙幣搬送ユニット検出信号を発信する。その紙幣搬送ユニット検出データは保留中継基板１４に送信される。そして、紙幣搬送ユニット検出データを受信した保留中継基板１４に設けられたモータ駆動制御回路はＤＣモータ３２を起動する。
【０１２９】
ＤＣモータ３２の回転起動により既述の紙幣押圧回転体３６が正転側に旋回される。
そして、紙幣押圧回転体３６が正回転すると紙幣押圧回転体３６の紙幣収容溝３６ａに収容されていた紙幣が紙幣搬送ユニット１６側に転位する。このとき、紙幣押圧回転体３６の紙幣挟持片３６ｂは、紙幣繰出片（突出した部分）によって紙幣押圧回転体３６が正転したときに常時紙幣を押圧する。すると、紙幣挟持片３６ｂは、紙幣繰出片による押圧作用に敗れて紙幣の搬送通路側を開放する状態に紙幣を導き入れる位置にまで退避する。なお、紙幣挟持片３６ｂと紙幣押圧回転体３６の外周面で既に紙幣が挟持されている場合には、挟持されている紙幣に紙幣収容溝３６ａに紙幣が積載されることにより紙幣保留ユニット１２における紙幣は既述したように順次積層される。
【０１３０】
次に、遊技機島２の紙幣搬送通路側に転出された紙幣は、接近した紙幣搬送ユニット１６に設けられた係動片によって紙幣挟持片３６ｂによる把持作用が解除され紙幣搬送ユニット１６に設けられた搬送紙幣収容台５４に載置される。
【０１３１】
そして、紙幣保留ユニット１２により紙幣搬送ユニット１６に取込まれた紙幣は紙幣搬送ユニット１６によって島管理装置４に設けられた金庫部９０内に導き入れられる。
金庫部９０に導き入れられた紙幣搬送ユニット１６からは、後述するように、積層された紙幣が金庫部９０に移送される。そして、金庫部９０への紙幣の移送が終了すると送りモータ５５の逆回転動作によって紙幣搬送ユニット１６が島管理装置４とは反対側の島端末５に向かって移動する。紙幣搬送ユニット１６には、図示しないテールセンサが設けられ、テールセンサによって紙幣搬送ユニット１６の起動と初期位置復帰とが判定される。
【０１３２】
以上の機能を有する紙幣搬送ユニット１６が紙幣保留ユニット１２に一時保留されていた紙幣を回収する手順を図９に示す。
先ず、紙幣搬送ユニット１６は図９中右から左へ移動し、紙幣保留ユニット１２に接近する（図９（ａ））。
【０１３３】
次に、紙幣搬送ユニット１６の先頭部分が紙幣保留ユニット１２の側壁にガイドされるようにして紙幣保留ユニット１２に入り込む（図９（ｂ））。
そして、紙幣搬送ユニット１６が更に図９中左へ進むと紙幣搬送ユニット１６の後端に設けられている搬送紙幣収容台５４が紙幣保留ユニット１２の入口に入り込み、紙幣Ｂを引っ掛けるようにして紙幣搬送ユニット１６に回収する（図９（ｃ）、（ｄ））。
【０１３４】
そして、紙幣を回収した後、更に図９中左へ進み、紙幣保留ユニット１２から回収した紙幣を保持し、紙幣保留ユニット１２から離脱（換言すれば、島管理装置４に接近）して行く（図９（ｅ））
このような、紙幣搬送ユニット１６は、紙幣が紙幣搬送ユニットの基準位置（紙幣保留ユニット１２の紙幣格納領域３４若しくは紙幣搬送ユニット１６における紙幣収容領域）からずれた場合に紙幣搬送ユニット１６の動作を停止する紙幣搬送異常制御手段を有する。従って、回収した紙幣の搬送異常（紙幣のずれ）により、紙幣詰り等を発生させることがない。
<島管理装置>
<構成と機能>
図１０は、島管理装置４の主要部分を表す正面図である。
【０１３５】
島管理装置４は、紙幣搬送ユニット１６によって搬送されてきた紙幣を取込み格納する金庫部９０と、紙幣保留ユニット１２、保留中継基板１４及び紙幣搬送ユニット１６を制御する島管理装置制御部８０とを備える。島管理装置制御部８０については、図１３を参照して後述する。
【０１３６】
島管理部４では、金庫部９０に進入した紙幣搬送ユニット１６上の紙幣を紙幣無センサ１００が「紙幣あり」を検出すると、プレス板９３が紙幣搬送ユニット１６上の紙幣を挟持して金庫部９０内における紙幣格納工程が開始される。
【０１３７】
一方、紙幣搬送ユニット１６に載置されていた紙幣が紙幣格納工程を経て金庫部９０内に取込まれることにより紙幣無センサ１００が紙幣搬送ユニット１６上の紙幣がなくなったことを検出する
そして、紙幣無センサ１００が紙幣搬送ユニット１６上の紙幣がなくなったことを検出すると紙片搬送ユニット１６を紙幣搬送駆動モータ５５の再起動によって金庫部９０を有する島管理装置４とは反対側の遊技機島端に移動する。
【０１３８】
金庫部９０は、図１０に示すように、正収納庫９１と副収納庫９２とから構成されている。図１０において、紙幣搬送ユニット１６が島管理装置４の金庫部９０に到着し、紙幣搬送ユニット１６内の紙幣がプレス位置検出センサ９３ａによって検出されると、プレス板９３が図示しないプレスモータによってプレス板軸９３ｂ周りに回動し、紙幣がピックアップローラ９４に押圧される。そして、押圧された紙幣がピックアップ位置検出センサ９４ａによって検出されると、ピックアップローラ９４が回転し紙幣は分離ローラ９５に一枚ずつ搬送される。分離ローラ９５を通過した紙幣は搬送ローラ９７、９８、９９を順次通過し、送りローラ１０１に到達する。
【０１３９】
更に、送りローラ１０１によって、正収納庫９１に向けて紙幣が搬送されると、送り完了センサ９９ａで紙幣が検出される。そして、送り完了センサ９９ａで紙幣が検出されると、島管理装置制御部８０では、送り完了センサ９９ａの情報に基づいて、紙送り完了判定が行われる。
【０１４０】
この、島管理装置制御部８０で行われる紙送り完了判定では、送りローラ１０１で紙幣を搬送しながら送り完了センサ９９ａにて紙幣の破れや紙幣の位置ずれが検出される。そして紙幣の破れや位置ずれなどが検出された場合には、島管理装置制御部８０はその旨をを蛍光表示パネル８２に表示する。
【０１４１】
ここで、送り完了センサ９９ａを通過する紙幣の破れや位置ずれを検出する際の送り完了センサ９９ａの紙幣検出パターンの詳細を図１１、図１２に基づき説明する。
図１１、図１２に示すように、紙幣の破れや位置ずれは、紙幣の搬送時に送り完了センサ９９ａが紙幣を検出している時間（検出された信号の持続時間）によって判定している。  そして、判定に当たっては、問題とならない紙幣の微細な破れ、ゴミ、ノイズ等の判定エラー要因による判定エラーをなくすため、送り完了センサ９９ａで検出された実際の紙幣の搬送時間に１０ｍ秒のディレー時間を付加して判定を行っている。
【０１４２】
そして、検出された信号の持続時間がディレーを含めて５０ｍ秒以下の場合には、ごみ、ノイズの影響であるとして無視する（図１１（ｂ）の場合）。
また、検出された信号の持続時間がディレー時間を含めて２５０ｍ秒〜４５０ｍ秒の場合には紙幣の破れや位置ずれがない（つまり、正常）と判定する（図１１（ａ）の場合）。
【０１４３】
更に、検出された信号の持続時間が、ディレーを含めずに４５０ｍ秒以上の場合には、紙幣が１０度以上傾いて搬送されてきた（つまり、位置ずれ異常が発生）と判定される（図１１（ｃ）の場合）。
【０１４４】
また、検出された信号の持続時間が２５０ｍ秒以下の場合は紙幣が破れていたりする場合であり、紙幣の異常と判定される（図１１（ｃ）の場合）。
そして、図１２に示すように、問題とならない紙幣の微細な破れがあり、検出された信号が一瞬途切れた場合であっても、その時間が１０ｍ秒以内（つまり、ディレー時間内）であれば、異常とは判定されない（図１２（ａ）の場合）。
【０１４５】
一方、検出された信号がディレー時間を含めて１０ｍ秒以上に亘って途切れた場合には無視できない紙幣の破れがある（つまり、紙幣異常）と判定される（図１２（ｂ）の場合）。
【０１４６】
そして、紙幣の異常や位置ずれがない（つまり、正常）と判定された場合は、紙幣枚数が集計される。
そして、紙幣送り完了判定が正常である場合には、紙幣はそのまま正収納庫９１へ送られる。
【０１４７】
次に、正収納庫９１においてスタック位置センサ１０３ｂにより紙幣が確認された場合にはスタックモータ１０２が起動されスタック板１０３が下方に摺動される。すると、スタック板１０３がコイルスプリング１０５の付勢力に抗して更に紙幣を押圧し、紙幣は積載され正収納庫９１内に格納される。
【０１４８】
そして、スタック満杯検出センサ１０３ａが紙幣満杯を判定すると、図示しないプレスモータからスタックモータ１０２に至る一連の紙幣格納動作を停止する。
一方、紙幣が補助スタック位置に待機していることが判定されると、図示しない補助スタックモータが起動され、補助スタック板１０６がコイルスプリング１０７の付勢力に抗してモータ駆動により押圧され紙幣は副収納庫９２に収納される。
【０１４９】
島管理装置制御部８０に、島管理装置表示操作パネル８１と蛍光表示パネル８２とが構成されている。図１３に島管理装置制御部８０の概要を示す。
図１３に示すように、島管理装置表示操作パネル８１は、蛍光表示パネル８２を待機画面、集計画面、エラー表示画面に切換えるための表示ボタン８４と、機能選択画面に切換える機能ボタン８５と、入力データあるいはエラーの解除を行う解除ボタン８６と、入力データの確定を行う決定ボタン８７とを備える。更に、制御の詳細項目を操作に応じて順次移動表示する移動表示ボタン８５ａと数値入力用の加減ボタン８５ｂが設けられている。
【０１５０】
なお、上記した図１３ における機能選択画面、待機画面、エラー表示画面、集計画面の詳細については例えば次のようなものを設定することが考えられる。
待機画面においては、例えば遊技機島２の紙幣搬送装置における紙幣搬送動作や異常の発生を遊技場内の島を摸し図形化したマップ図形上で表示し、日付、時刻を表示し、集計履歴表示する。
【０１５１】
機能選択画面においては、紙幣搬送モード（通常営業時、閉店持の切換） や、島構成設定（遊技機島２に設置する紙幣投入装置を含む紙幣保留ユニット１２の右左台数設定）、或いは搬送条件設定（紙幣保留ユニットで保留する紙幣の保留枚数、保留時間）、 若しくは特定の紙幣投入装置２２を含む紙幣保留ユニット１２に関する個別データの選択、集計クリア日付時刻の切換を行う為の情報表示などが行われる。
【０１５２】
エラー表示画面においては、エラー履歴表示、過去３０回分の紙幣搬送エラー発生日付時刻、エラー発生場所、エラーの種別、表示されるエラーコード内容等が表示される。
異常の発生箇所に対応した島管理装置４に関する表示、島管理装置４において検出されたスタッカ満杯、プレス保持異常、ピックアップ異常、送り検出異常、紙幣枚数データ異常が表示される。
【０１５３】
また、紙幣保留ユニット１２に関しては、紙幣保留ユニット満杯、紙幣保留ユニット入口詰まり、紙幣保留ユニット取込詰まり、紙幣保留ユニット扉開放、紙幣保留ユニット蓋離脱、紙幣搬送ユニット１６の停止、紙幣保留ユニット１２における保留枚数オーバー、紙幣搬送ユニット１６若しくは遊技機島２に配列された紙幣保留ユニットに関する搬送限度枚数オーバー等の表示が行われる。
【０１５４】
集計画面においては、回収紙幣に関する回収合計金額、紙幣金額、金庫部９０における受入判定合計枚数、遊技上島に列設された全紙幣保留ユニット１２で保留されている現在保留中紙幣の合計枚数、紙幣搬送ユニット１６において現在搬送中の合計紙幣枚数の表示が行われる。
【０１５５】
図１４は、蛍光表示パネル８２で表示される遊技機島２における紙幣搬送ユニット１６の動作内容を示したものである。ここで数値１から９までは、それぞれ遊技機島２の前面側及び背面側に配列された遊技媒体貸出装置１０を含む紙幣投入装置２２を示している。
【０１５６】
□形状のブロックが島管理装置４であって２本の平行線を紙幣の搬送経路として図示されている。
△形状で図示するのが紙幣搬送ユニット１６であって、現在時刻においてはＮｏ．８番目の紙幣投入装置２２とＮｏ．９番目の紙幣投入装置２２の中間位置を移動する状態が示されている。なお、紙幣投入装置２２には紙幣保留ユニット１２が対設されているのでＮｏ．８、Ｎｏ９のアドレスを有する２つの紙幣保留ユニット１２に紙幣搬送ユニット１６が移動していることが把握できる。
【０１５７】
次に、記号＋は、図１４において上方の配列においてはＮｏ．１のアドレスを有する紙幣保留ユニット１２と下方の紙幣保留ユニット１２の配列及びＮｏ．９のアドレスの紙幣保留ユニット１２に係る配線、信号系統において断線状態が生じ、島管理装置４との通信ができない状態に陥っていることを示している。
【０１５８】
また、記号Ｅは、上方の配列においてはＮｏ．５のアドレスを有する紙幣保留ユニット１２と下方の紙幣保留ユニット１２の配列及びＮｏ．４のアドレスの紙幣保留ユニット１２に係る配線、信号系統において紙幣詰りや扉開放といった異常状態が発生していることを示している。
【０１５９】
更に、記号●は上方に配列されたアドレスＮｏ．６紙幣保留ユニット１２において紙幣の満杯、例えば２０枚の紙幣が保留され、これ以上紙幣投入装置２２に紙幣が投入できず遊技機８による遊技ができない状態に至ることを報知している。
【０１６０】
また、記号○で図示された紙幣保留ユニット１２においては、現在正常な紙幣保留動作が実行されていることを蛍光表示パネル８２の表示画面において一括して確認することができる。
【０１６１】
なお、表示パネルは蛍光表示パネルとせず、カラー液晶表示パネルやプラズマデディスプレイとしてよいことは勿論である。
<データ送受信>
次に、有価媒体取込管理設備における島管理装置制御部８０と他の構成品との間にデータの送受信について図１５及び図１６に基づき説明する
図１５は有価媒体管理設備の全体ブロック図であり、図１６は有価媒体管理設備の各構成品の構成と通信方法を示した図である。
【０１６２】
有価媒体管理設備における通信は、図１６に示すように保留中継基板１４を介して行われる。即ち、保留中継基板１４を介して紙幣投入装置２２、紙幣保留ユニット１２と島管理装置制御部８０とのデータの送受信が行われる。尚、紙幣搬送ユニット１６の位置データ等は紙幣保留ユニット１２に備えられたセンサ等により検出されるため、紙幣搬送ユニット１６の位置データ等は紙幣保留ユニット１２から島管理装置制御部８０に送信されるようになっている。
【０１６３】
実際の通信の際は図１６に示すように、島管理装置４が紙幣投入装置２２及び紙幣保留ユニット１２宛の制御信号及び紙幣搬送データ問い合わせ信号等を保留中継基板１４に向けて送信する。島管理装置４は１つの保留中継基板に対して１０ｍｓ単位にて通信し、紙幣保留ユニット１２の島管理装置４に近い順に５０ｍｓ単位で島管理装置４から呼掛け送信を行い、紙幣保留ユニット１２の動作情報と 紙幣搬送ユニット１６の位置データのレスポンスを取得する。一方保留中継基板１４においては、島管理装置４からの読み出しに対し５ｍｓ以内に応答しデータを返信する。
【０１６４】
具体的には、紙幣投入装置２２は、島管理装置制御部８０から紙幣枚数を問い合わせる問い合わせデータが送信されると紙幣枚数データを島管理装置制御部８０に返信する。
また、紙幣保留ユニット１２で異常が発生した場合は、紙幣保留ユニット１２から異常データが島管理装置制御部８０へ送信され、その異常データを受信した島管理装置制御部８０は、紙幣投入装置２２へ投入禁止データを送信する。
【０１６５】
また、紙幣保留ユニット１２で紙幣搬送ユニット１６の接近を検出した場合には、紙幣搬送ユニット１６から島管理装置制御部８０へ通過データが送信され、島管理装置制御部８０は、その通過データに基づいて紙幣投入装置２２へ投入禁止信号を送信する。
【０１６６】
更に、紙幣投入装置２２、紙幣保留ユニット１２から異常信号が送信された場合には、島管理装置制御部８０は、その信号を受信し、蛍光表示パネル８２で異常箇所と異常の内容を簡略化して識別表示する異常コード番号を表示する。
【０１６７】
更にまた、島管理装置制御部８０は、紙幣保留ユニット１２から送信される紙幣搬送ユニット１６の位置情報を受信し、蛍光表示パネル８２でその位置情報（紙幣搬送ユニット１６の位置情報）を表示する。
【０１６８】
上記の、保留中継基板１４を介して、島管理装置制御部８０と紙幣保留ユニット１２及び紙幣投入装置２２との間で送受信されるデータの構造を図１７に示す。
図１７（ａ）に示すデータは、島管理装置制御部８０から保留中継基板１４に対して送信される送信コマンドであり、図１７（ｂ）及び図１７（ｃ）に示すデータは、保留中継基板１４から島管理装置制御部８０に返信される返信コマンドである。
【０１６９】
図１７（ａ）に示す送信コマンドは、各島端末５の紙幣保留ユニット１２の島列を指定（前面側・背面側の何れか）するビット列、紙幣保留ユニット１２のアドレスを特定するビット列、紙幣保留ユニット１２についてその動作情報（正常であるか異常であるかの動作ステータス）を要求するビット列、搬送位置情報（待機、接近、停止、通過待ち）を要求するビット列及び受入紙幣枚数を要求するビット列から成る。
【０１７０】
これに対応して、図１７（ｂ）の返信コマンドは、紙幣保留ユニット１２の島列（前面側・背面側の何れか）を表すビット列、紙幣保留ユニット１２のアドレスを表すビット列、紙幣保留ユニット１２の保留動作ステータス（待機、受入、取込み、異常）を表すビット列、紙幣保留ユニット１２の搬送動作ステータス（通常、通過待ち、通過中）を表すビット列、受入紙幣枚数を表すビット列及び現在保留枚数を表すビット列から成る。
【０１７１】
更に、図１７（ｃ）の返信コマンドでは、紙幣保留ユニット１２の島列（左右列即ち前面側か背面側の何れか）を表すビット列、紙幣保留ユニット１２のアドレスを表すビット列、紙幣保留ユニット１２について異常があった場合はその異常ステータス内容（満杯、入口詰り、異常収納、紙幣戻り、紙幣引抜き、搬送失敗、紙幣保留ユニットカバー４３開放）を表すビット列及び紙幣保留ユニット１２に設けられている各センサ（入口センサ、取込みセンサなど）の状態を表すビット列から構成される。
【０１７２】
このように、島管理装置制御部８０は、保留中継基板１４を介して紙幣保留ユニット１２及び紙幣投入装置２２との間で送受信コマンドを送受信することにより紙幣保留ユニット１２、紙幣搬送ユニット１６、紙幣投入装置２２、遊技媒体貸出装置１０を制御している。
【０１７３】
次に、以上に説明した島管理装置制御部８０で実行される処理について、図１８〜図２０のフローチャートに従って説明する。
<紙幣搬送ユニット制御処理>
図１８に紙幣搬送ユニット制御処理のフローチャートを示す。この紙幣搬送制御ユニット制御処理は、島管理装置制御部８０の電源投入と同時に処理が開始される。そして、図１８に示すように、先ず、Ｓ３００で紙幣保留ユニット１２から紙幣搬送ユニット１６の位置データを取得し、Ｓ３０５へ移行する。
【０１７４】
Ｓ３０５では、Ｓ３００にて取得した紙幣搬送ユニット１６の位置データから、紙幣搬送ユニット１６が何れかの紙幣保留ユニット１２の位置にあるか否かを判定する。そして、紙幣搬送ユニット１６が何れかの紙幣保留ユニット１２の位置になければ（Ｓ３１０でＮｏの場合）Ｓ３６５へ移行し、紙幣搬送ユニット１６の牽引を続ける。逆に、紙幣搬送ユニット１６が紙幣保留ユニット１２の位置にあれば（Ｓ３１０でＹｅｓの場合）、Ｓ３１０へ移行する。
【０１７５】
Ｓ３１０では、紙幣投入装置２２に紙幣投入禁止データを送信し、続くＳ３１５で紙幣保留ユニット１２から紙幣抜取りデータを受信し、Ｓ３２０へ移行する。
Ｓ３２０では、Ｓ３１０にて受信した紙幣抜取りデータに基づき、紙幣保留ユニット１２から紙幣が抜き取られたか否かを判定する。そして、紙幣が抜き取られていなければ（Ｓ３２０でＮｏの場合）、Ｓ３６５へ移行して、紙幣搬送ユニット１６の牽引を続ける。一方、紙幣保留ユニット１２から紙幣が抜き取られていれば（Ｓ３２０でＹｅｓの場合）、Ｓ３２５へ移行する。
【０１７６】
Ｓ３２５では、紙幣投入装置２２に紙幣投入許可データを送信し、続くＳ３３０で保留中継基板１４から紙幣保留ユニット１２のアドレス（Ｎ）を取得し、Ｓ３３５へ移行する。
【０１７７】
Ｓ３３５では、Ｓ３３０にて取得したアドレス（Ｎ）が最大値（つまり、遊技機島端に一番近い紙幣保留ユニット１２であることを示す。）であるか否かを判定する。そして、アドレス（Ｎ）が最大値でなければ（Ｓ３３５でＮｏの場合）、Ｓ３６５へ移行し、紙幣搬送ユニット１６の牽引を続ける。一方、アドレス（Ｎ）が最大値であれば（Ｓ３３５でＹｅｓの場合）、Ｓ３４０へ移行し、搬送紙幣金庫内格納処理を実行した後Ｓ３４５へ移行する。
【０１７８】
Ｓ３４５では、紙幣搬送ユニット１６を初期位置（つまり、島管理装置４の設置位置と反対端）へ向かって移動させ、続くＳ３５０で島端位置検出センサ信号を入力し、Ｓ３５５へ移行する。
【０１７９】
そして、Ｓ３５５で、島端位置センサ信号に基づき紙幣搬送ユニット１６が島端にあるか否かを判定する。そして、紙幣搬送ユニット１６が島端になければ（Ｓ３５５でＮｏの場合）、Ｓ３４５に戻って紙幣搬送ユニット１６を初期位置へ戻す処理を続ける。一方、紙幣搬送ユニット１６が島端にある場合は（Ｓ３５５でＹｅｓの場合）、Ｓ３６０へ移行する。
【０１８０】
Ｓ３６０では、紙幣搬送ユニット１６の移動を停止し、その後Ｓ３００に戻って、紙幣搬送ユニット制御処理を繰り返す。
尚、本紙幣搬送ユニット制御処理は、島管理装置制御部８０の電源遮断により終了する。
【０１８１】
<搬送紙幣金庫内格納処理>
図１９に搬送紙幣金庫内格納処理のフローチャートを示す。この搬送紙幣金庫内格納処理は、紙幣搬送制御ユニット制御処理から呼び出されるサブルーチンである。そして、図１９に示すように、先ず、Ｓ４００でスタック満杯検出センサ１０３ａ（図１０参照）情報を取得し、Ｓ４０５へ移行する。
【０１８２】
Ｓ４０５では、Ｓ４００にて取得したスタック満杯検出センサ１０３ａ情報に基づき、正収納庫９１（図１０参照）は満状態であるか否かを判定する。そして、正収納庫９１が満杯でなければ（Ｓ４０５でＮｏの場合）、Ｓ４１０へ移行し、正収納庫９１が満杯であれば（Ｓ４０５でＹｅｓの場合）、Ｓ４７０へ移行する。
【０１８３】
Ｓ４１０では、ピックアップローラ９４(図１０参照）を作動させ、紙幣搬送ユニット１６から紙幣の搬送を開始し、Ｓ４１５へ移行し、紙幣搬送ユニット１６の紙幣無センサ１００（図１０参照）の情報を取得し、Ｓ４２０へ移行する。
【０１８４】
Ｓ４２０では、Ｓ４１５にて取得した紙幣無センサ１００の情報に基づき、紙幣搬送ユニット１６に紙幣が残っているか否かを判定する。そして、紙幣搬送ユニット１６に紙幣が残っていなければ（Ｓ４２０でＹｅｓの場合）、Ｓ４５５へ移行し、紙幣搬送ユニット１６に紙幣が残っていれば（Ｓ４２０でＮｏの場合）、Ｓ４２５へ移行する。
【０１８５】
Ｓ４２５では、ワンウェイローラ９６を駆動し、続くＳ４３０で分離ローラ９５を駆動する。更に、続くＳ４３５において、送り完了センサの情報に基づき、紙幣枚数をカウントし、続く、Ｓ４４０でスタックモータ１０２を駆動し、更に続くＳ４４５で送り完了センサ９９ａの情報を取得し、Ｓ４５０へ移行する。
【０１８６】
Ｓ４５０では、Ｓ４４５にて取得した送り完了センサ９９ａの情報に基づき、紙幣送りが完了したか否かを判定する。そして、紙送りが完了して入れば（Ｓ４５０でＹｅｓの場合）、Ｓ４５５へ移行する。一方、紙幣送りが完了していなければ（Ｓ４５０でＮｏの場合）、Ｓ４２５に戻り、紙幣送りを続ける。
【０１８７】
Ｓ４５５では、各ローラ９４、９５、９６を停止させ、紙幣送りを完了する。そして、続くＳ４６０でスタックモータ１０２を逆転させてスタック板１０３を初期位置へ戻し、Ｓ４６５へ移行し、Ｓ４３５でカウントした紙幣枚数に基づき、紙幣金額を集計した後メインルーチンへ戻る。
【０１８８】
Ｓ４０５にて、正収納庫９１が満状態であるとして処理が移行したＳ４７０では、正収納庫９１が満状態である旨の表示を蛍光表示パネル８２に行った後、続くＳ４７５で副収納庫満センサ１０６ａ情報を取得し、Ｓ４８０へ移行する。
【０１８９】
Ｓ４８０では、Ｓ４７５にて取得した副収納庫満センサ１０６ａの情報を基に副収納庫９２が満状態であるか否かを判定する。そして、副収納庫９２が満状態でない場合（Ｓ４８０でＮｏの場合）はＳ４８５へ移行し、副収納庫９２が満状態の場合（Ｓ４８０でＹｅｓの場合）は、Ｓ５００へ移行する。
【０１９０】
そして、Ｓ４８５では、図示しないスタック補助スタック板駆動モータを起動し、紙幣搬送ユニット１６内の紙幣を補助スタック板１０６で紙幣搬送ユニット１６から副収納庫９２へ押し出すようにして収納し、Ｓ４９０へ移行する。
【０１９１】
Ｓ４９０では、紙幣搬送ユニット１６を初期位置へ移動させ、Ｓ４９５へ移行し、補助スタック板１０６を初期位置へ戻し、本処理を終了してメインルーチンへ戻る。
Ｓ４８０で副収納庫９２が満状態であるとして移行したＳ５００では、蛍光表示パネル８２に副収納庫９２が満状態である旨を表示した後、Ｓ５０５へ移行し、紙幣投入装置２２へ紙幣投入禁止データを送信し、紙幣投入装置２２での紙幣投入を禁止して、続くＳ５１０で紙幣保留ユニット１２に紙幣取込禁止データを送信し、紙幣保留ユニット１２での紙幣取込みを禁止する。
【０１９２】
そして、続くＳ５１５で副収納庫満センサ１０６ａの情報を取得しＳ５２０へ移行する。
Ｓ５２０では、Ｓ５１５にて取得した副収納庫満センサ１０６ａの情報を基に副収納庫９２が満状態であるか否かを判定する。そして、副収納庫９２が満状態でない場合（Ｓ５２０でＮｏの場合）はＳ５２５へ移行し、副収納庫９２満状態の表示を消して、本処理を終了する。一方、副収納庫９２が満状態の場合（Ｓ５２０でＹｅｓの場合）は、Ｓ５１５へ戻り処理を繰り返す。このように、副収納庫９２が満状態であるか否かを繰り返すことにより、Ｓ５００で副収納庫９２が満状態となった旨を表示した後、副収納庫９２から紙幣が取除かれるまで待機するのである。
【０１９３】
<紙幣異常入金処理>
図２０に紙幣異常入金処理のフローチャートを示す。この紙幣異常入金処理は、島管理装置制御部８０の電源投入後、時間割り込みにより定期的に実行される処理であり、起動後先ず、Ｓ６００にて、紙幣投入装置２２から紙幣枚数データを取得した後、Ｓ６０５で紙幣保留ユニット１２から紙幣枚数データを取得する。その後、Ｓ６１０で島管理装置４で取除かれた紙幣枚数データを取得し、続くＳ６１５で紙幣枚数カウンタから紙幣枚数データを取得し、Ｓ６２０へ移行する。
【０１９４】
Ｓ６２０では、Ｓ６００〜Ｓ６１５にて取得した各紙幣枚数を比較し、異常がある場合にはＳ６３０へ移行して蛍光表示パネル８２に不正表示を行う。ここで、異常がある場合とは、例えば、紙幣投入装置２２から取得した紙幣枚数データと紙幣保留ユニット１２から取得した紙幣枚数データが不一致の場合、あるいは、紙幣保留ユニット１２から取得した紙幣枚数データ島管理装置４で取除かれた紙幣枚数データを引いた紙幣枚数と紙幣枚数カウンタから取得した紙幣枚数データとの間に不一致があるような場合のことをいう。
【０１９５】
以上のような島管理装置４は、金庫における紙幣格納手段（プレス板９３、ピックアップローラ９４、分離ローラ９５、正収納庫９１、副収納庫９２）による紙幣の格納動作が、紙幣搬送ユニット１６が移動中でなく、かつ、扉開放のない場合にのみ許容する紙幣格納規制制御手段を有する。従って、不完全な金庫への紙幣格納処理がなされることがなく、併せて不正に紙幣が抜き取られることを防止できる。
【０１９６】
また、島管理装置４は、多数個列設された紙幣保留ユニット１２における一の紙幣保留ユニット１２で保留した紙幣枚数の合計が所定値に達した場合に、紙幣搬送ユニット１６を紙幣の回収可能に起動する紙幣搬送ユニット起動手段を有する。従って、容量を越えた紙幣が搬送されようとして紙幣搬送ユニット１６が搬送障害を起こし故障することを防止するできるとともに搬送される紙幣枚数の掌握を一定単位数（紙幣搬送ユニット１６に保留できる最大紙幣枚数）に基づいて効率的に行なえる。
【０１９７】
また、島管理装置４は、少なくとも、遊技機島２に列設された多数個の紙幣保留ユニット１２における紙幣の合計保留枚数が所定値に達した場合に紙幣搬送ユニット１６を紙幣の回収可能に（紙幣搬送駆動モータを）起動する紙幣搬送ユニット起動手段を有する。従って、容量を越えた紙幣が紙幣保留ユニット１２から紙幣搬送ユニット１６に転送されることによる紙幣保留ユニット１２からの取込み障害や紙幣搬送ユニット１６による搬送障害やユニット故障を防止できるとともに取込み搬送される紙幣枚数の掌握が効率的に行うことができる。
【０１９８】
また、島管理装置４は、遊技機島に列設された多数個の紙幣保留ユニット１２における合計紙幣保留枚数、若しくは一の紙幣保留ユニット１２における紙幣保留枚数が、紙幣搬送ユニット１６が搬送できる限界紙幣枚数に達した場合に（達する以前に）紙幣搬送ユニット１６を紙幣の回収可能に（紙幣搬送駆動モータを）起動する紙幣搬送ユニット起動手段を有する。従って、不必要に紙幣搬送ユニット１６を駆動して電力浪費をすることのない紙幣搬送ユニット１６とすることができるとともに当該遊技機島２全体の紙幣を統括した状態で紙幣の搬送制御がされるので、紙幣搬送毎に極めてバランスの異なる非効率的な紙幣搬送が実行されることを防止することができる。
【０１９９】
また、島管理装置４は、遊技機島に列設された多数個の紙幣保留ユニット１２における各紙幣保留ユニット１２から取込む全紙幣の合計保留枚数、若しくは多数個の紙幣保留ユニットにおける何れかの紙幣保留ユニットにおける紙幣保留枚数が所定値に達した場合、若しくは紙幣搬送ユニット１６が紙幣を収容して搬送できる紙幣の許容枚数に達した場合（例えば、紙幣搬送ユニット１６における片面の収容領域に積載された紙幣枚数が３０枚となった場合）の何れかの場合において、紙幣を積載した紙幣搬送ユニット１６を島管理装置４側の金庫に向けて回収させるように起動する紙幣搬送ユニット起動手段を有する。従って、紙幣保留ユニット１２と紙幣搬送ユニット１６との何れかの容量を越えた紙幣が紙幣保留ユニット１２から紙幣搬送ユニット１６に転送されまた紙幣搬送ユニット１６により搬送されることによる障害や、紙幣保留ユニット１２と紙幣搬送ユニット１６とにおいて積載量を超えた紙幣が搬送されることによって生じる故障の発生を防止することができる。
【０２００】
また、島管理装置４は、先に実行した紙幣搬送ユニット１６による金庫への紙幣収容動作から所定の時間が経過したと判定された場合において、紙幣搬送ユニット１６を紙幣保留ユニット１２に格納した紙幣を収容して遊技機島２内の金庫に向けて移動可能に起動する紙幣搬送ユニット起動手段を有する。従って、正副収納庫内における紙幣の集積が完了せず更に紙幣が正副収納庫に収容されてしまうことによる正副収納庫の機能障害を防止するとともに紙幣保留ユニット１２における紙幣の保留に未だ余裕ある場合に非経済な紙幣搬送が行われる不合理が解消できる。
【０２０１】
また、島管理装置４は、電源遮断時に紙幣保留ユニット１２に格納された保留紙幣枚数を島管理装置４に設けられたバックアップ記憶手段に他のログデータとともに記憶する一方、電源の再投入時において、紙幣保留ユニット１２に設けられたセンサによる紙幣の検出がない時は、バックアップ記憶手段に記憶された保留紙幣枚数に係るバックアップデータを破棄するバックアップデータ制御手段を有する。
【０２０２】
従って、異常な電源断により紙幣保留ユニット１２で保留している保留枚数データに相違が生じて、実際の搬送枚数と異なる紙幣の搬送データが島管理装置４に格納されることによる誤入金処理がなされる不具合を解消するとともに、異常な紙幣保留ユニット１２からの紙幣抜き取り操作にも対処できる健全な紙幣枚数に係る収支管理が実現できる。
【０２０３】
また、島管理装置４は、遊技媒体貸出装置１０を含む遊技場の紙幣投入装置２２における紙幣収容部に収用した紙幣の傾き若しくは位置ずれを、所定範囲内で許容して、紙幣の格納処理を実行する格納紙幣収容補助手段（傾き許容範囲  紙幣の位置ずれを許容して搬送を続行する。）を有する。従って、紙幣を緻密に紙幣の収容部に一致して格納する為の工程を省くことにより迅速で円滑な紙幣の収納管理が実現できる。
【０２０４】
また、島管理装置４は、遊技媒体貸出装置１０を含む遊技場の紙幣投入装置２２における紙幣の紙幣収容部に収容した紙幣について、紙幣の収容部で占有する領域が所定の範囲を超えると判定される場合には、紙幣の搬送若しくは格納処理を禁止するとともに紙幣異常を表示する紙幣搬送異常時制御手段を有する。従って、（破れ、破損、折れ曲がり）異常な紙幣や整列されていない紙幣を搬送し、あるいは格納することによって紙幣詰りや格納部の故障が発生しまたは紙幣に損傷が生じることを防止することができる。
【０２０５】
また、島管理装置４は、遊技媒体貸出装置１０を含む遊技場の紙幣搬送ユニット１６における紙幣の紙幣収容部に収容した紙幣について、固定された横幅と、一定の許容範囲を有す縦幅とで囲まれる範囲内において、紙幣が収容されていると判定される場合には、紙幣の格納処理を続行させ、範囲外と判定される場合には紙幣を取込み対象外とする紙幣移動制御手段を有する。従って、紙幣を緻密に紙幣の収容部に一致して格納する為の工程を省くことにより迅速で円滑な紙幣の収納管理が実現し、異常な紙幣や整列されていない紙幣を搬送し、あるいは、格納することによって紙幣詰りや格納部の故障が発生しまたは紙幣に損傷が生じることを防止することができる。
【０２０６】
また、島管理装置４は、遊技機島２に列設された多数の紙幣保留ユニット１２に対する紙幣搬送ユニット１６の通過位置若しくは停止位置ならびに該当する紙幣保留ユニット１２における異常動作を含む動作状態を島管理装置４の蛍光表示パネル８２で紙幣保留ユニット１２の配列とともに図表化して表示するとともに、異常の内容をコードした記号とともにモニタリング表示する紙幣搬送状態モニタリング表示手段を有する。従って、遊技機島２における紙幣の搬送状態が島管理装置４において一括して各紙幣保留ユニット１２に対応して的確に把握できるとともに、紙幣保留ユニット１２の停止箇所と経時的な移動動作が明快な図表と記号とにより島管理装置の限られた表示領域において確認できる。
【０２０７】
また、島管理装置４は、複数の紙幣投入装置２２（紙幣投入ユニット２４、紙幣保留ユニット１２、保留中継基板１４）において発生した異常を個別に表示するとともに、島管理装置４における蛍光表示パネル８２のエラー表示画面においてエラーコードにより前記紙幣投入装置２２側とに同期して異常の発生を個別に表示する紙幣搬送異常マルチ表示手段を有する。従って、遊技機島２の何れかの箇所で発生した紙幣搬送に係る異常と、紙幣搬送に関する異常の内容とをコードにより各紙幣保留ユニット１２に対応して的確に把握させることができるとともに、島管理装置の限られた表示領域において各紙幣保留ユニット１２の夫々で発生した異常を明確に識別して確認することができる。
【０２０８】
また、島管理装置４は、保留紙幣満杯異常に到達する前段階における各紙幣保留ユニット１２での紙幣保留枚数を蛍光表示パネル８２でレベル表示（紙幣枚数値データをグラフ化して変換し図表にて紙幣搬送動作を表示）する。従って、遊技機島２に設置された各紙幣保留ユニット１２における紙幣の保留状態即ち紙幣枚数が、満杯状態に至る以前において紙幣が蓄積されていくに従って順次レベル（グラフ）表示されるので現在時刻での当該紙幣保留ユニット１２における積載枚数が容易に識別できる。各紙幣保留ユニット１２毎の積載枚数を対比することも可能となる。
【０２０９】
また、島管理装置４は、紙幣搬送ユニット１６において生じた紙幣詰りを遊技媒体貸出装置１０（紙幣投入装置２２、紙幣保留ユニット１２）側と島管理装置４側とにおいて、遊技機島２に列設された多数の紙幣保留ユニット１２の内特定の紙幣保留ユニット１２単体別に区別して表示する紙幣詰り識別表示手段を有する。従って、遊技機島２の何れかの箇所で発生した紙幣詰りが当該紙幣詰りの発生箇所と島管理装置４においてともに個別に視覚により確認できることとなるので、当該紙幣詰りに対する対応処理が迅速に行え、紙幣搬送ユニット１６の障害を早期に復旧させることが可能となる。
【０２１０】
また、島管理装置４は、紙幣搬送ユニット１６への取込み済紙幣の抜き取り操作を扉開放センサと紙幣保留センサとによる複数の検出動作の組み合わせを条件として判定して表示する紙幣抜き取り表示手段を有する。従って、紙幣が保留されていることを判別できる紙幣保留ユニット１２に設けられた複数のセンサが供に紙幣の喪失を判定した場合にのみ紙幣の紙幣保留ユニット１２から紙幣の抜き取りを表示するので、紙幣抜き取りを錯誤して報知することを防止することができる。
【０２１１】
また、島管理装置４は、蛍光表示パネル８２において、紙幣投入装置２２側（紙幣保留ユニット１２、紙幣搬送ユニット１６、保留中継基板１４）の異常を含む動作状況と、島管理装置側４（正副収納庫）の異常を含む動作状況とを併行表示するマルチ表示制御手段を有する（所定のサイクルで紙幣投入装置２２側情報と正副収納庫側情報とに切換表示する）。従って、紙幣投入装置２２側（紙幣保留ユニット１２、紙幣搬送ユニット１６、保留中継基板１４）において発生した異常が当該異常の発生箇所に対応した遊技機島２の紙幣投入装置２２側の該当箇所において表示されるとともに島管理装置４において当該異常の発生箇所が区別されて表示されるので異常に対する復旧処置が的確にしかも迅速に行なえる。また同時に紙幣の格納された金庫部９０を有する島管理装置４に関する異常情報を、紙幣保留ユニット１２などの紙幣投入装置２２側の異常情報に関連付けて取得し確認することが可能となる。
【０２１２】
また、島管理装置４は、島管理装置４は紙幣投入装置２２側の保留中継基板１４に搬送状況指令及び問い合わせ信号を送信する一方、各紙幣投入装置２２側の保留中継基板１４からは問い合わせ信号に応答して各紙幣投入装置２２側で生じた個別の紙幣搬送データ（モータ駆動データ、各センサ検出データ、紙幣詰り判定データ、紙幣抜き取りデータ、入金データ、遊技媒体貸出しデータ、扉開放判定データ、紙幣搬送ユニット位置データ）を島管理装置４に返信して紙幣投入装置２２側における紙幣搬送動作を逐一掌握し、後続の搬送動作の実行を行う紙幣搬送処理タイミング制御手段を有する。従って、島管理装置４からの問合わせ及び指令信号に応じて、保留中継基板１４に接続される紙幣保留ユニット１２の駆動手段が起動され紙幣保留ユニット１２の動作状況を示すセンサ信号が返信されるので遊技機島２に多数列設された紙幣保留ユニット１２の限られた信号系統において錯誤のない正確な紙幣搬送制御が実現できる。
【０２１３】
また、島管理装置４は、島管理装置４内の正副収納庫における紙幣の搬送格納動作がセンサにより検出され判定された場合においては、（紙幣搬送ユニットの扉を含む）島管理装置４の紙幣取出し等のために設けられた扉の開放を禁止する（ストッパー励磁手段）する金庫扉開放禁止手段を有する。従って、紙幣の正副収納庫への格納処理中に扉が開放されて紙幣が不用意に金庫より落下し、また紙幣の格納処理に障害が生じ、島管理装置４に故障が発生することが防止できる。
【０２１４】
また、島管理装置４は、紙幣投入装置２２側の保留中継基板１４に搬送状況問い合わせ信号を送信する一方、各紙幣投入装置２２側の保留中継基板からは問い合わせ信号に応答して各紙幣投入装置２２側で生じた個別の紙幣搬送データ（モータ駆動データ、各センサ検出データ、紙幣詰り判定データ、紙幣抜き取りデータ、入金データ、遊技媒体貸出しデータ、扉開放判定データ、紙幣搬送ユニット位置データ）を島管理装置４に返信して紙幣搬送処理を逐一実行する紙幣搬送処理シリアル通信制御手段を有するとともに、異常の発生した紙幣投入装置２２と紙幣保留ユニット１２とを含む紙幣搬送ユニット１６を特定する異常端末識別管理手段を有する。従って、紙幣の搬送制御に関して玉貸し機若しくはメダル貸し機などの紙幣投入装置２２と紙幣保留ユニット１２とに接続される保留中継基板１４で中継処理した信号を島管理装置４との間において順次送受信することができ、パチンコ遊技機やスロットマシンなどの複数種類の多機種の遊技機からの当たりや大当たり信号、入賞や当たりの発生に伴うパチンコ球やメダルの払出し信号系統と玉貸し機やメダル貸し機からの貸出し信号等多種類のデータが島管理装置４やホールコンピューターとの間で授受される場合においても信号が混信して異常動作を生じることのない安全な紙幣搬送制御に係る通信が確保できる。
【０２１５】
また、島管理装置４は、島管理装置４の金庫内に紙幣搬送ユニット１６が進入、下方を紙幣搬送ユニット１６の支持枠により係支された紙幣束の上端部をプレス板９３が把持する、紙幣搬送ユニット１６が金庫より脱出、プレス板９３はピックアップローラ９４で紙幣束を把持する、ピックアップローラ９４が回転を開始し、ピックアップローラ９４外周の摩擦面が積層された紙幣の内、表層の紙幣を係動する、間欠的に動作するピックアップローラ９４の摩擦面により引き抜かれた表層一枚目の紙幣が次段で待機するワンウェイローラ９６と分離ローラ９５とによって挟持される、ワンウェイローラ９６の接線とほぼ平行な線上おいて紙幣と接触して回転駆動される分離ローラ９５の回転動作によって積層された紙幣の内の一枚が取出され、取出された紙幣は一対の回転ローラによって挟持されつつ正収納庫９１の回収箱に誘導する島管理装置４における紙幣の金庫内収納方法としている。従って、紙幣を紙幣搬送ユニット１６から正収納庫９１へスムーズかつ正確に搬送することができる。
【０２１６】
また、島管理装置４は、送りモータ５５により駆動される回転ローラにより正収納庫内に進入した紙幣は上層パネルと底板間に形成された間隙に収容される。底板上に載置された紙幣は、モータの回転動作が昇降動作に変換されて付勢部材の押圧作用に抗して下降する前記底板とともに移動し底板上には新たな紙幣導入用の空間が形成される。また、後回転ローラの回転動作によって新たな紙幣が正収納箱内に進入し、順次先に進入して載置された紙幣の上に新たな紙幣が積層される島管理装置４における紙幣の金庫内収納方法としている。従って、紙幣を紙幣搬送ユニット１６から正収納庫９１へスムーズかつ正確に搬送することができる。
【０２１７】
また、島管理装置４は、紙幣搬送ユニット１６で保持された紙幣が、プレス板９３により複数枚の紙幣が一括して把持された後において紙幣の下方端部を係支していた紙幣搬送ユニット１６が離脱すると、紙幣は補助スタック板１０６上に載置される。Ｌ状の補助スタック板１０６は回転動作を水平動作に変換するカムモータの駆動力を受けて摺動され、収容紙幣の表層を付勢部材に抗して押圧しつつ副収納庫内９２に誘導する。そして、押圧された紙幣が所定位置まで移動すると紙幣把持片が副収納庫９２に格納された紙幣の後端表面に当接されるよう進出すると補助スタック板１０６が初期位置に向かって摺動し、格納された紙幣は紙幣把持片により押圧されて待機する。そして補助スタック板１０６が副収納庫９２内に接近してくると、紙幣把持片は一旦副収納庫９２内より離脱する、この後紙幣が紙幣把持片を越えた位置にまで補助スタック板１０６により押動されてくると、前記の如く再び紙幣保持板が副収納庫９２内に進出して格納する紙幣を挟持する、島管理装置４における紙幣の金庫内収納方法としている。従って、紙幣を紙幣搬送ユニット１６から副収納庫９２へスムーズかつ正確に搬送することができる。
【０２１８】
また、島管理装置４は、金庫内においてスタック満杯検出センサ１０３ａにより紙幣満タンが判定された場合、若しくは送り完了センサ９９ａにより紙幣の検出状態が所定時間以上継続されて紙幣詰りと判定された場合、若しくは島管理装置４に設けられた扉の開放が扉開放検出センサにより検出された場合には、紙幣投入装置２２（遊技媒体貸出装置１０）に紙幣投入禁止信号（貸出禁止信号）を出力する信号配線手段を有するとともに、金庫内において検出された紙幣満タンと紙幣詰りと扉の開放とを識別してエラーコードにより、蛍光表示パネル８２に異常表示する表示パネル有する島紙幣管理手段を有する。従って、金庫を有する島管理装置４において異常が発生した場合には、紙幣投入装置２２への紙幣投入が禁止され、紙幣搬送ユニット１６による島管理装置４に向けての紙幣搬送が停止されるので、新たな紙幣搬送より紙幣搬送ユニット１６や島管理装置４において紙幣詰りや故障などの障害が発生することを防止することができる。また、金庫内で生じた異常の種別が明確なコードにより分別されて報知されるので、各異常の種別に応じた的確な処置を金庫を有する島管理装置に対し行うことが可能となる。
【０２１９】
また、島管理装置４は、遊技場閉店（操作）信号に基いて、紙幣搬送ユニット１６が起動され、紙幣保留ユニット１２と紙幣投入装置２２（遊技媒体貸出装置１０）とで保留された全ての紙幣を、島管理装置４の金庫に向けて移動して収容する閉店時紙幣格納制御手段を有する。従って、紙幣搬送ユニット１６に紙幣が残置されたまま遊技場が閉じられる場合には遊技媒体についての正確な貸出し集計管理が実現できない。また閉店時に紙幣が紙幣搬送ユニット１６に残置されると不正な紙幣抜き取り行為を誘発することとなる。そこで、閉店操作信号に基づいて紙幣投入装置２２、紙幣保留ユニット１２、紙幣搬送ユニット１６などの紙幣搬送経１８路上にある紙幣が島管理装置４の金庫に回収され格納されることにより正確な集計管理が実現できるともに不正行為の発生を防止することができる。
【０２２０】
また、島管理装置４は、遊技場の閉店終了時、ホールコンピューター（若しくは島管理装置４）における閉店（操作）信号の発生に基いて、紙幣投入装置２２を紙幣投入禁止状態とに変換するとともに、当該紙幣投入装置２２に残留している紙幣と紙幣保留ユニット１２において保留している紙幣などの紙幣搬送経路１８上の紙幣を紙幣搬送ユニット１６により島管理装置４の金庫に搬送して格納する閉店時紙幣格納連繋手段を有する。従って、閉店時における正確な集計管理が実現できるとともに閉店後において紙幣搬送ユニット１６内にある紙幣が不正に抜き取られる不正行為を防止する。また、閉店を気づかず紙幣が紙幣投入装置２２に投入される障害を防止し、遊技場管理者による回収処理を不要とすることができる。
【０２２１】
また、島管理装置４は、紙幣枚数（貸出遊技媒体）表示画面と、紙幣搬送表示画面と、エラー表示画面とエラー内容説明表示画面とに切換設定するとともに、通常運用モード表示と装置保守のためのサービスマンモード表示画面とに切換設定する切換え設定スイッチを設ける一方、画面を表示する表示操作パネル８１に附設された解除スイッチへの操作によって島管理装置４の異常データをリセットする紙幣搬送制御表示操作パネル８１を有している。従って、単一の表示画面上で技媒体貸出し金額情報に係る紙幣枚数と、紙幣投入装置２２における紙幣搬送動作情報と、紙幣投入装置２２で生じたエラーの表示と、エラーの種別に応じた対応処置方法の表示とが切換表示可能にされるので島管理装置４における狭い表示パネル領域において紙幣枚数に係る集計情報と紙幣搬送格納動作情報とをともに把握でき、併せて紙幣搬送に係る異常情報と異常対処処理情報とを取得することも可能となる。また、紙幣搬送ユニット１６のメンテナンス時には紙幣搬送ユニット１６の保守者のみが確認できる情報をマスク表示することも可能であるとともに、異常処理対応して異常データを消去することもできる。
【０２２２】
また、島管理装置制御部８０は、応答データに基づいて、不具合のある紙幣投入装置２２からの紙幣の回収を止めたり、満状態の紙幣投入装置２２の紙幣を優先的に回収するというように回収の優先順位を判断し、その判断結果に従って絵疲弊搬送ユニット１６を制御している。そのような制御を行うことにより、回収すべき紙幣投入装置２２から順に効率よく紙幣を回収することができる。
【０２２３】
なお、本実施形態において、紙幣投入装置２２が特許請求の範囲の有価媒体投入装置に相当し、紙幣保留ユニット１２が有価媒体保留手段に相当し、金庫部９０が有価媒体収納庫に相当し、紙幣搬送ユニット１６が有価媒体搬送手段に相当し、島管理装置制御部８０が有価媒体搬送制御手段に相当し、蛍光表示パネル８２が表示手段に相当し、図２０のＳ６３０の処理が有価媒体管理制御手段の実行する表示制御の処理に相当する。
（第２実施形態）
なお、第１実施形態の一部を変更した第２実施形態として、紙幣保留ユニット１２で保留可能とする紙幣枚数を２０枚とし、遊技機島２の片側（紙幣搬送ユニット１６で紙幣を搭載する搬送紙幣収容台５４の片側、図２で参照される。）全体において紙幣搬送ユニット１６により搬送可能とする紙幣枚数を３０枚として設定した紙幣搬送の制御フローチャートを図２１〜図２６において図示する。
【０２２４】
この実施形態における紙幣搬送ユニット１６で搬送する紙幣枚数の上限値２０枚若しくは３０枚については、既述の当該紙幣保留ユニット１２に設けられた入口センサ３１や紙幣取込センサ３９などの検出信号を計数して２０枚の判定がされ、また島管理装置４の制御部が、遊技機島２の片側に列設された各紙幣保留ユニット１２の入口センサ３１で検出されて保留中継基版１４の制御部で記憶された紙幣枚数の合計値に関する問合わせ信号を送受信して３０枚であると判定するものである。
【０２２５】
紙幣保留ユニット１２における保留枚数若しくは遊技機島２の片側に列設された紙幣保留ユニット１２で保留する紙幣枚数の合計値が上限値に至った場合には、紙幣投入装置２２から紙幣保留ユニット１２への紙幣の保留制御は、島管理装置４の制御部からの指令を受信することにより一旦待機される。
【０２２６】
なお、紙幣搬送ユニット１６の紙幣保留ユニット１２に対する保留紙幣の取込制御は、紙幣保留ユニット１２のアドレスで指定された特定の紙幣保留ユニット１２に対して紙幣搬送ユニット１６を移動制御して紙幣搬送を行うことの他、遊技機島の他端よりシーケンスに、順次、金庫部９０の設けられた遊技機島２の島管理装置４に向かって各紙幣保留ユニット１２で保留された紙幣を取込む制御方法を取ってよいことは勿論である。
【０２２７】
なお、図２１〜図２６のフローチャートにおいて示した第２実施形態にあっては金庫部９０の正収納庫９１の正収納庫紙幣満杯判定手段が正収納庫における満杯を検出する紙幣枚数は６００枚とされている。
【０２２８】
そして、副収納庫９２において判定される紙幣満杯判定は３００枚と設定されていて、副収納庫９２における満杯判定は副収納庫満杯センサ１０６ａによる検出動作によって実行され、正収納庫９１における満杯判定は、例えば分離されて送り込まれた紙幣を送り完了センサ９９ａが検出し検出パルスを島管理装置４の制御部に設けられた演算手段が計数することにより紙幣枚数が判定される。
【０２２９】
以上、本発明の実施形態について説明したが、本発明は上記実施形態に限定されるものではなく、本発明の技術思想から逸脱しない範囲において種々の態様を採ることができる。
【０２３０】
例えば、本実施形態では、有価媒体として紙幣を使用しているが、紙幣の代わりにカードやコイン等を使用してもよい。
また、本実施形態では、紙幣投入装置２２は遊技媒体貸出装置１０の一部に取り付けられているが、紙幣投入装置２２を遊技機８の一部に取り付けるようにしてもよい。それにより、遊技者は遊技機８から離れることなく遊技を続けることができる。
【図面の簡単な説明】
【０２３１】
【図１】本実施形態の有価媒体管理設備が適用された遊技機島の平面図である。
【図２】紙幣投入装置２２、紙幣保留ユニット１２、紙幣搬送ユニット１６の側面図である。
【図３】紙幣投入処理のフローチャートである。
【図４】保留中継基板１４の外観図である。
【図５】紙幣保留ユニット１２の構成図である。
【図６】紙幣保留処理のフローチャートである。
【図７】紙幣保留ユニット１２の異常処理のフローチャートである。
【図８】紙幣搬送経路１８の構造を示す図である。
【図９】紙幣搬送ユニット１６が紙幣保留ユニット１２に一時保留されていた紙幣を回収する手順を示す図である。
【図１０】島管理装置４の主要部分を表す正面図である。
【図１１】送り完了センサ９９ａの紙幣検出パターンを示す図である。
【図１２】送り完了センサ９９ａの紙幣検出パターンを示す図である。
【図１３】島管理装置制御部８０の概要図である。
【図１４】蛍光表示パネル８２で表示される遊技機島２における紙幣搬送ユニット１６の動作内容を示した図である。
【図１５】有価媒体管理設備の全体ブロック図である。
【図１６】有価媒体管理設備の各構成品の構成と通信方法を示した図である。
【図１７】島管理装置制御部８０と島端末５との間で送受信されるデータの構造を示す図である。
【図１８】紙幣搬送ユニット制御処理のフローチャートである。
【図１９】搬送紙幣金庫内格納処理のフローチャートである。
【図２０】紙幣異常入金処理のフローチャートである。
【図２１】紙幣搬送格納処理のフローチャートである。
【図２２】紙幣搬送格納処理のフローチャートである。
【図２３】紙幣搬送格納処理のフローチャートである。
【図２４】保留ユニットエラー処理処理のフローチャートである。
【図２５】紙幣搬送ユニット制御処理のフローチャートである。
【図２６】紙幣異常入金処理及びコマンドデータ送受信ルーチンのフローチャートである。
【符号の説明】
【０２３２】
２…遊技機島、４…島管理装置、５…島端末、６…遊技場管理装置、８…遊技機、１０…遊技媒体貸出装置、１２…紙幣保留ユニット、１４…保留中継基板、１６…紙幣搬送ユニット、１８…紙幣搬送経路、２２…紙幣投入装置、２４…紙幣投入ユニット、２６…紙幣投入ノズル、２８…紙幣投入ユニットガイド部、３０…搬送押圧回転体、３１…入口センサ、３２…ＤＣモータ、３３…紙幣収容第１回転体、３４…紙幣格納領域、３５…紙幣導入路、３５ａ…紙幣保留ユニット格納口、３６…紙幣押圧回転体、３６ａ…紙幣収容溝、３６ｂ…紙幣挟持片、３９…紙幣取込センサ、４２…紙幣保留ユニット基体、４３…紙幣保留ユニットカバー、４４…誘導路、５１…紙幣搬送ユニットガイドレール、５２…紙幣搬送ユニット第１ローラ、５３…搬送ユニットローラ、５４…搬送紙幣収容台、５５…送りモータ、７１…基板本体、７３…ロータリースイッチ、７４…デップスイッチ、７５…中継基板収納ボックス、７６…ビス孔、８０…島管理装置制御部、８１…島管理装置表示操作パネル、８２…蛍光表示パネル、８４…表示ボタン、８５…機能ボタン、８５ａ…移動表示ボタン、８５ｂ…加減ボタン、８６…解除ボタン、８７…決定ボタン、９０…金庫部、９１…正収納庫、９２…副収納庫、９２…副収納庫内、９３…プレス板、９３ａ…プレス位置検出センサ、９４…ピックアップローラ、９４ａ…ピックアップ位置検出センサ、９５…分離ローラ、９６…ワンウェイローラ、９７…搬送ローラ、９９ａ…送り完了センサ、１００…紙幣無センサ、１０１…送りローラ、１０２…スタックモータ、１０３…スタック板、１０３ａ…スタック満杯検出センサ、１０３ｂ…スタック位置センサ、１０５…コイルスプリング、１０６…補助スタック板、１０６ａ…副収納庫満センサ、１０７…コイルスプリング、１０８…鍵部材。
【図１】
2006305159.tif 000003
【図２】
2006305159.tif 000004
【図３】
2006305159.tif 000005
【図５】
2006305159.tif 000006
【図６】
2006305159.tif 000007
【図７】
2006305159.tif 000008
【図８】
2006305159.tif 000009
【図９】
2006305159.tif 000010
【図１０】
2006305159.tif 000011
【図１３】
2006305159.tif 000012
【図１４】
2006305159.tif 000013
【図１５】
2006305159.tif 000014
【図１６】
2006305159.tif 000015
【図１７】
2006305159.tif 000016
【図１８】
2006305159.tif 000017
【図１９】
2006305159.tif 000018
【図２０】
2006305159.tif 000019
【図２１】
2006305159.tif 000020
【図２２】
2006305159.tif 000021
【図２３】
2006305159.tif 000022
【図２４】
2006305159.tif 000023
【図２５】
2006305159.tif 000024
【図２６】
2006305159.tif 000025
【図４】
2006305159.tif 000026
【図１１】
2006305159.tif 000027
【図１２】
2006305159.tif 000028